(57)【要約】【課題】    種々の機能部品を収容可能または保持可能な筒状部材を、筆記具の外筒後部に形成した筒状部材収容孔の所定位置に所定の姿勢で容易に着脱可能にすること。【解決手段】筆記具１の外筒に筆記用芯部材６が出没可能な前端開口７１と、後端に形成された筒状部材着脱口から挿入される筒状部材９１が着脱可能に装着される筒状部材収容部とを設け、内側に所定の機能を有する機能部品（９３〜９５）を収容可能な前記筒状部材９１が着脱可能に装着される前記筆記具１において、前記筒状部材９１の外側面に形成された被ガイド部を前後方向にガイドする筒状部材ガイド部と、前記筒状部材９１が前記筒状部材収容部に装着された状態で軸方向に容易に移動しないように係止する筒状部材係止部とが外筒内部に設けられた前記筆記具。【選択図】  図１
2005119272.tif 000002
【特許請求の範囲】
【請求項１】
次の構成要件（Ａ01）〜（Ａ05）を備えた筆記具、
（Ａ01）筆記用芯部材が出没可能な前端開口と、後端に形成された筒状部材着脱口と、前記筒状部材着脱口から挿入される筒状部材が着脱可能に装着される筒状部材収容部とが設けられた外筒、
（Ａ02）前記外筒の前記筒状部材着脱口から挿入された状態で前記筒状部材収容部に着脱可能に装着され且つ、装着された状態で前記筒状部材着脱口の後側に露出する把持部を有する前記筒状部材、
（Ａ03）内側に所定の機能を有する機能部品を収容可能な前記筒状部材、
（Ａ04）前記外筒の内側面に形成され且つ前記筒状部材を前後にガイドする筒状部材ガイド部と、前記筒状部材材収容部に装着された筒状部材が軸方向に容易に移動しないように係止する筒状部材係止部とを有する前記外筒、
（Ａ05）前記筒状部材の外側面に形成され且つ前記筒状部材ガイド部に前後方向にガイドされる被ガイド部と、前記筒状部材収容部に装着された状態で前記筒状部材が軸方向に容易に移動しないように前記筒状部材係止部により係止される被係止部とを有する前記筒状部材、
【請求項２】
次の構成要件（Ａ06）を備えた請求項１記載の筆記具、
（Ａ06）前記外筒の内側面に軸方向に延びて形成された凹溝または凸条により形成される筒状部材ガイド部と、前記筒状部材の外側面に形成され且つ前記凹溝または凸条によりガイドされる被ガイド部とにより構成される筒状部材軸方向ガイド構造。
【請求項３】
次の構成要件（Ａ07）を備えた請求項１記載の筆記具、
（Ａ07）前記筒状部材の外側面に軸方向に延びて形成された凹溝または凸条により形成される被ガイド部と、前記外筒の内側面に形成され且つ前記凹溝または凸条をガイドする筒状部材ガイド部とにより構成される筒状部材軸方向ガイド構造。
【請求項４】
次の構成要件（Ａ01）〜（Ａ03），（Ａ08），（Ａ09）を備えた筆記具、
（Ａ01）筆記用芯部材が出没可能な前端開口と、後端に形成された筒状部材着脱口と、前記筒状部材着脱口から挿入される筒状部材が着脱可能に装着される筒状部材収容部とが設けられた外筒、
（Ａ02）前記外筒の前記筒状部材着脱口から挿入された状態で前記筒状部材収容部に着脱可能に装着され且つ、装着された状態で前記筒状部材着脱口の後側に露出する把持部を有する前記筒状部材、
（Ａ03）内側に所定の機能を有する機能部品を収容可能な前記筒状部材、
（Ａ08）前記外筒の内側面後端部にメスネジが形成された前記外筒、
（Ａ09）前記メスネジに螺合可能なオスネジが後端部外周面に形成され、前記メスネジとオスネジとが螺合した状態で前記外筒後端部に装着される前記筒状部材。
【請求項５】
次の構成要件（Ａ010）を備えた請求項１ないし４のいずれか記載の筆記具、
（Ａ010）前記筒状部材収容部に収容される部分が前記外筒内側面に嵌合状態で収容される外径を有し、前端から後端までほぼ同一の内径を有する円筒である前記筒状部材。
【請求項６】
次の構成要件（Ａ01）〜（Ａ03），（Ａ010）を備えた筆記具、
（Ａ01）筆記用芯部材が出没可能な前端開口と、後端に形成された筒状部材着脱口と、前記筒状部材着脱口から挿入される筒状部材が着脱可能に装着される筒状部材収容部とが設けられた外筒、
（Ａ02）前記外筒の前記筒状部材着脱口から挿入された状態で前記筒状部材収容部に着脱可能に装着され且つ、装着された状態で前記筒状部材着脱口の後側に露出する把持部を有する前記筒状部材、
（Ａ03）内側に所定の機能を有する機能部品を収容可能な前記筒状部材、
（Ａ010）前記筒状部材材収容部に収容される部分が前記外筒内側面に嵌合状態で収容される外径を有し、前端から後端までほぼ同一の内径を有する円筒である前記筒状部材。
【請求項７】
次の構成要件（Ａ01）〜（Ａ03），（Ａ011），（Ａ012）を備えた筆記具、
（Ａ01）筆記用芯部材が出没可能な前端開口と、後端に形成された筒状部材着脱口と、前記筒状部材着脱口から挿入される筒状部材が着脱可能に装着される筒状部材収容部とが設けられた外筒、
（Ａ02）前記外筒の前記筒状部材着脱口から挿入された状態で前記筒状部材収容部に着脱可能に装着され且つ、装着された状態で前記筒状部材着脱口の後側に露出する把持部を有する前記筒状部材、
（Ａ03）内側に所定の機能を有する機能部品を収容可能な前記筒状部材、
（Ａ011）前記筆記用芯部材が出没可能な前端開口および前記筆記用芯部材が貫通する後端貫通口が形成された前部外筒と、前記後端貫通口に接続し且つ前記筆記用芯部材が前後に移動可能に貫通する前端貫通口、前記筒状部材収容部および前記筒状部材着脱口を有する後部外筒を有する前記外筒、
（Ａ012）前記後部外筒を前記前部外筒に対して回転させたときに前記筆記用芯部材を前記前部外筒の前端開口から出没させるために前記後部外筒内周面に形成されたカム。
【請求項８】
次の構成要件（Ａ013）を備えた請求項１ないし７のいずれか記載の筆記具、
（Ａ013）筆記用芯部材の後端または前記筆記用芯部材と一体的に移動する芯部材連動移動体の後端部を収容可能な前端筒状部を有する前記筒状部材。
【請求項９】
次の構成要件（Ａ014），（Ａ015）を備えた請求項１ないし８のいずれか記載の筆記具、
（Ａ014）前記筒状部材と筒状部材収容部との間をシールするシール部材であって、前記シール部材の後側の筒状部材収容部と筒状部材外側面との間の隙間と、前記シール部材の前側の筒状部材収容部と筒状部材外側面との間の隙間を遮断する前記シール部材。
（Ａ015）筒状部材内部を前端部分とその後方部分とに液密に分離する分離壁。
【請求項１０】
次の構成要件（Ａ01），（Ａ05）を備えた筆記具用外筒、
（Ａ01）筆記用芯部材が出没可能な前端開口と、後端に形成された筒状部材着脱口と、前記筒状部材着脱口から挿入される筒状部材が着脱可能に装着される筒状部材収容部とが設けられた外筒、
（Ａ05）前記外筒の内側面に形成され且つ前記筒状部材を前後にガイドする筒状部材ガイド部と、前記筒状部材収容部に装着された筒状部材が軸方向に容易に移動しないように係止する筒状部材係止部とを有する前記外筒。
【請求項１１】
次の構成要件（Ａ016），（Ａ03），（Ａ010）を備えた筆記具用の筒状部材、
（Ａ016）筆記用芯部材が出没可能な前端開口を有する外筒の後端に設けた筒状部材着脱口から挿入することにより前記外筒の筒状部材収容部に着脱可能に装着され、且つ装着された状態で前記筒状部材着脱口の後側に露出する把持部と、前記把持部の後端側に形成された尾栓着脱部とを有する筒状部材、
（Ａ03）内側に所定の機能を有する機能部品を収容可能な前記筒状部材、
（Ａ010）前記筒状部材収容部に収容される部分が前記外筒内側面に嵌合状態で収容される外径を有し、前端から後端までほぼ同一の内径を有する円筒である前記筒状部材。
【請求項１２】
次の構成要件（Ａ017）を備えた請求項１１記載の筆記具用の筒状部材、
（Ａ017）前記筒状部材の外側面に形成され且つ前記外筒内側面に形成された筒状部材ガイド部により前後方向にガイドされる被ガイド部と、前記筒状部材収容部に装着された状態で前記筒状部材が軸方向に容易に移動しないように前記外筒内側面に形成された筒状部材係止部により係止される被係止部とを有する前記筒状部材。
【請求項１３】
次の構成要件（Ａ018）を備えた請求項１１または１２記載の筆記具用の筒状部材、
（Ａ018）弾性調節用の切除部と前記被係止部とが前端筒状部に形成された前記筒状部材。
【発明の詳細な説明】
【技術分野】
【０００１】
本発明は、ボールペンの芯部材、シャープペンシルの芯部材等の複数または単一の筆記用芯部材、あるいは、万年筆のペン先等を外筒内部に前後に移動可能に収容し、前記筆記用芯部材を前記外筒の前部開口から前方に突出させることができる筆記具、筆記具用外筒及び筆記具用の筒状部材に関し、特に、前記外筒の後部に筒状部材収容孔を有し且つ外筒後端に筒状部材着脱口を有する筆記具、筆記具用外筒及び筆記具用の筒状部材に関する。
【背景技術】
【０００２】
従来の筆記具で且つ筆記用芯部材が１本のものにおいて、筆記用芯部材の後端部にマーカ、修正テープ、修正液塗布部材等のカートリッジを着脱可能に装着するようにしたものとして、次の特許文献１〜４記載の技術が従来公知である。
（特許文献１および２（実開平６−５９９３号公報および実開平４−６０４９４号公報）記載の技術）
特許文献１および２に記載された筆記具は、筆記具の後部に装着されるカートリッジが、筆記具の外筒の一部を形成するように構成されている。
（特許文献２〜４（実開平４−６０４９４号公報、実開平４−１２６８９２号公報、特表２００３−５１１２６５号公報）記載の技術）
特許文献２〜４に記載された筆記具は、筆記用芯部材とカートリッジとが軸方向に離れた位置に配置されている。
【特許文献１】（実開平６−５９９３号公報）
【特許文献２】（実開平４−６０４９４号公報）
【特許文献３】（実開平４−１２６８９２号公報）
【特許文献４】（特表２００３−５１１２６５号公報）
【発明の開示】
【発明が解決しようとする課題】
【０００３】
（前記特許文献１および２記載の技術の問題点）
前記特許文献１および２に記載された筆記具は、カートリッジが筆記具の後部の外表面を形成するように構成されている。前記筆記具の後部を構成するカートリッジの外表面は、人目に付く部分であるので、見栄えを考慮して構成する必要がある。このため、カートリッジを低コストで製作するための障壁となり、カートリッジの製作コストが高くなるという問題点がある。
（前記特許文献２〜４記載の技術の問題点）
前記特許文献２〜４に記載された技術は、筆記用芯部材とカートリッジとは軸方向に離れた位置に配置されている。このため、筆記具の長さは筆記用芯部材の長さに、カートリッジの長さがプラスされることになる。そうすると、筆記具の長さが長くなってしまうという問題点がある。
【０００４】
前記従来技術の問題点は、１本または複数本の筆記用芯部材とカートリッジとを備えた筆記具に対して同様に存在する問題点である。特に、複合筆記具は、複数の筆記用芯部材が並んだ状態で配置されており、各筆記用芯部材の後端部にはスライダが装着されており、前記スライダはスライダ支持ケースによりスライド可能に支持されている。このような複合筆記具においてその長さを短くするためには、前記複数の筆記用芯部材の後端部を支持する複数のスライダおよびそれを支持するスライダ支持ケース後端部と、前記カートリッジとを軸方向に重なるように配置することは一見したところ困難と思うのが普通である。
したがって、本発明は、ボールペンの芯部材、シャープペンシルの芯部材等の複数または単一の筆記用芯部材、あるいは、万年筆のペン先等を外筒内部に前後に移動可能に収容し、前記筆記用芯部材を前記外筒の前部開口から前方に突出させることができる、種々の筆記具に適用可能である。
【０００５】
本発明は前記事情に鑑み、次の（Ｏ01）〜（Ｏ07）の記載内容を技術的課題とする。
（Ｏ01）種々の機能部品を容易に着脱可能な筆記具を提供すること。
（Ｏ02）筆記具の外筒後部に種々の機能部品を容易に着脱可能にすること。
（Ｏ03）種々の機能部品を収容可能または保持可能な筒状部材を、筆記具の外筒後部に形成した筒状部材収容孔の所定位置に所定の姿勢で容易に着脱可能にすること。
（Ｏ04）筆記具の外筒後部に容易に着脱可能な種々の機能部品を収容または保持する筒状部材の内容積をできるだけ大きくできるようにすること。
（Ｏ05）筆記具外筒の前端から出没可能な筆記用芯部材の後端部または前記筆記用芯部材の後端に連結されたスライダ等の連結部材等を前記筒状部材内部に配置することにより筆記具の長さを短縮可能にすること。
（Ｏ06）外筒内部に収容された筆記用芯部材のインクが漏れたときに、前記漏れたインクにより前記機能部品が汚染されるのを防止すること。
（Ｏ07）外筒内部に収容された筆記用芯部材のインクが漏れたときに、前記漏れたインクが前記外筒の後端から漏出するのを防止すること。
【課題を解決するための手段】
【０００６】
次に、前記課題を解決するために案出した本発明を説明するが、本発明の構成要素には、後述の実施例の構成要素との対応を容易にするため、実施例の構成要素の符号をカッコで囲んだものを付記する。
なお、本発明を後述の実施例の符号と対応させて説明する理由は、本発明の理解を容易にするためであり、本発明の範囲を実施例に限定するためではない。
【０００７】
（第１発明）
前記課題を解決するために第１発明の筆記具は、次の構成要件（Ａ01）〜（Ａ05）を備えたことを特徴とする。
（Ａ01）筆記用芯部材（６）が出没可能な前端開口（７１）と、後端に形成された筒状部材着脱口（２１）と、前記筒状部材着脱口（２１）から挿入される筒状部材（１９，９１，１０１，１０１′，２０１）が着脱可能に装着される筒状部材収容部（２０）とが設けられた外筒（２＋７）、
（Ａ02）前記外筒（２＋７）の前記筒状部材着脱口（２１）から挿入された状態で前記筒状部材収容部（２０）に着脱可能に装着され且つ、装着された状態で前記筒状部材着脱口（２１）の後側に露出する把持部（９１ｆ，１０３ｂ，２０３ｂ）を有する前記筒状部材（１９，９１，１０１，１０１′，２０１）、
（Ａ03）内側に所定の機能を有する機能部品を収容可能な前記筒状部材（１９，９１，１０１，１０１′，２０１）、
（Ａ04）前記外筒（２＋７）の内側面に形成され且つ前記筒状部材（１９，９１，１０１，１０１′，２０１）を前後にガイドする筒状部材ガイド部（２５）と、前記筒状部材収容部（２０）に装着された筒状部材（１９，９１，１０１，１０１′，２０１）が軸方向に容易に移動しないように係止する筒状部材係止部（２４）とを有する前記外筒（２＋７）、
（Ａ05）前記筒状部材（１９，９１，１０１，１０１′，２０１）の外側面に形成され且つ前記筒状部材ガイド部（２５）に前後方向にガイドされる被ガイド部と、前記筒状部材収容部（２０）に装着された状態で前記筒状部材（１９，９１，１０１，１０１′，２０１）が軸方向に容易に移動しないように前記筒状部材係止部（２４）により係止される被係止部（９１ｃ，１９１ｂ，１０２ａ，２０２ａ）とを有する前記筒状部材（１９，９１，１０１，１０１′，２０１）、
【０００８】
（第１発明の作用）
前記構成要件（Ａ01）〜（Ａ05）を備えた第１発明の筆記具では、外筒（２＋７）の前端開口（７１）は、筆記用芯部材（６）が出没可能である。外筒（２＋７）の後端に形成された筒状部材着脱口（２１）から挿入される筒状部材（１９，９１，１０１，１０１′，２０１）は、筒状部材収容部（２０）に着脱可能に装着される。前記筒状部材（１９，９１，１０１，１０１′，２０１）の把持部（９１ｆ，１０３ｂ，２０３ｂ）は、前記筒状部材収容部（２０）に着脱可能に装着された状態で前記筒状部材着脱口（２１）の後側に露出する。したがって、前記把持部（９１ｆ，１０３ｂ，２０３ｂ）を把持して前記筒状部材（１９，９１，１０１，１０１′，２０１）の外筒（２＋７）への着脱を容易に行うことができる。
前記筒状部材（１９，９１，１０１，１０１′，２０１）の内側には所定の機能を有する機能部品が収容される。したがって、共通の筒状部材に種々の機能部品を収容したり、機能部品に応じて前記筒状部材（１９，９１，１０１，１０１′，２０１）の構成を変更したりすることにより、種々の機能部品を装着可能な筆記具を提供することが可能である。
前記筒状部材は、かならずしも周側面が閉ざされた形状のもののみを言うものではなく、周側面に開口した切欠部を有した形状の円筒状または角筒状の部材を筒状部材と言う。
【０００９】
前記外筒（２＋７）の内側面に形成された筒状部材ガイド部（２５）は、前記筒状部材（１９，９１，１０１，１０１′，２０１）を前後にガイドする。前記外筒（２＋７）の筒状部材係止部（２４）は、前記筒状部材収容部（２０）に装着された筒状部材（１９，９１，１０１，１０１′，２０１）が軸方向に容易に移動しないように係止する。
前記筒状部材（１９，９１，１０１，１０１′，２０１）の外側面に形成された被ガイド部（９１ｄ，１９３，１０５，２０５）は、前記筒状部材ガイド部（２５）に前後方向にガイドされる。前記筒状部材（１９，９１，１０１，１０１′，２０１）の被係止部（９１ｃ，１９１ｂ，１０２ａ，２０２ａ）は、前記筒状部材収容部（２０）に装着された状態で前記筒状部材（１９，９１，１０１，１０１′，２０１）が軸方向に容易に移動しないように前記筒状部材係止部（２４）により係止される。
【００１０】
（第１発明の形態１）
第１発明の形態１の筆記具は前記第１発明において、次の構成要件（Ａ06）を備えたことを特徴とする。
（Ａ06）前記外筒（２＋７）の内側面に軸方向に延びて形成された凹溝または凸条により形成される筒状部材ガイド部（２５）と、前記筒状部材（１９，９１，１０１，１０１′，２０１）の外側面に形成され且つ前記凹溝または凸条によりガイドされる被ガイド部（９１ｄ，１９３，１０５，２０５）とにより構成される筒状部材軸方向ガイド構造。
（第１発明の形態１の作用）
前記構成要件（Ａ06）を備えた第１発明の形態１の筆記具では、前記筒状部材（１９，９１，１０１，１０１′，２０１）を前記外筒（２＋７）の内側面に挿入したり前記内側面から抜き出したりする際、前記筒状部材（１９，９１，１０１，１０１′，２０１）の外側面に形成された被ガイド部（９１ｄ，１９３，１０５，２０５）は、前記外筒（２＋７）の内側面に軸方向に延びて形成された凹溝または凸条により形成される筒状部材ガイド部（２５）により軸方向にガイドされる。このため、前記筒状部材（１９，９１，１０１，１０１′，２０１）は、前記外筒（２＋７）の内側面に対する回転位置が定まった状態で、前記外筒（２＋７）内に挿入、装着することができる。
前記凹溝または凸条を使用する場合、前記筒状部材の外形および外筒内側面をカットした場合（例えば、筒状部材が円筒状で断面Ｄ型にＤカットした場合）に比較して、筒状部材の内容積の減少が少なくなる。したがって、筒状部材（１９，９１，１０１，１０１′，２０１）内側の機能部品収容空間を広くすることが可能となる。
また、前記凹溝または凸条は１本または複数本形成することが可能である。
【００１１】
（第１発明の形態２）
第１発明の形態２の筆記具は前記第１発明において、次の構成要件（Ａ07）を備えたことを特徴とする。
（Ａ07）前記筒状部材（１９，９１，１０１，１０１′，２０１）の外側面に軸方向に延びて形成された凹溝または凸条により形成される被ガイド部（９１ｄ，１９３，１０５，２０５）と、前記外筒（２＋７）の内側面に形成され且つ前記凹溝または凸条をガイドする筒状部材ガイド部（２５）とにより構成される筒状部材軸方向ガイド構造。
（第１発明の形態２の作用）
前記構成要件（Ａ07）を備えた第１発明の形態２の筆記具では、前記筒状部材（１９，９１，１０１，１０１′，２０１）を前記外筒（２＋７）の内側面に挿入したり前記内側面から抜き出したりする際、前記筒状部材（１９，９１，１０１，１０１′，２０１）の外側面に軸方向に延びて形成された凹溝または凸条により形成される被ガイド部は、前記外筒（２＋７）の内側面に形成された凹溝または凸条をガイドする筒状部材ガイド部（２５）により軸方向にガイドされる。
前記凹溝または凸条を使用する場合、前記筒状部材の外形および外筒内側面をカットした場合（例えば、筒状部材が円筒状で断面Ｄ型にＤカットした場合）に比較して、筒状部材の内容積の減少が少なくなる。したがって、筒状部材（１９，９１，１０１，１０１′，２０１）内側の機能部品収容空間を広くすることが可能となる。
また、前記凹溝または凸条は１本または複数本形成することが可能である。
【００１２】
（第２発明）
第２発明の筆記具は、次の構成要件（Ａ01）〜（Ａ03），（Ａ08），（Ａ09）を備えたことを特徴とする。
（Ａ01）筆記用芯部材（６）が出没可能な前端開口（７１）と、後端に形成された筒状部材着脱口（２１）と、前記筒状部材着脱口（２１）から挿入される筒状部材（１９，９１，１０１，１０１′，２０１）が着脱可能に装着される筒状部材収容部（２０）とが設けられた外筒（２＋７）、
（Ａ02）前記外筒（２＋７）の前記筒状部材着脱口（２１）から挿入された状態で前記筒状部材収容部（２０）に着脱可能に装着され且つ、装着された状態で前記筒状部材着脱口（２１）の後側に露出する把持部（９１ｆ，１０３ｂ，２０３ｂ）を有する前記筒状部材（１９，９１，１０１，１０１′，２０１）、
（Ａ03）内側に所定の機能を有する機能部品を収容可能な前記筒状部材（１９，９１，１０１，１０１′，２０１）、
（Ａ08）前記外筒（２＋７）の内側面後端部にメスネジが形成された前記外筒（２＋７）、
（Ａ09）前記メスネジに螺合可能なオスネジが後端部外周面に形成され、前記メスネジとオスネジとが螺合した状態で前記外筒後端部に装着される前記筒状部材（１９，９１，１０１，１０１′，２０１）。
【００１３】
（第２発明の作用）
前記構成要件（Ａ01）〜（Ａ03），（Ａ08），（Ａ09）を備えた第２発明の筆記具では、外筒（２＋７）の前端開口（７１）は、筆記用芯部材（６）が出没可能である。外筒（２＋７）の後端に形成された筒状部材材着脱口（２１）から挿入される筒状部材（１９，９１，１０１，１０１′，２０１）は、筒状部材収容部（２０）に着脱可能に装着される。前記筒状部材（１９，９１，１０１，１０１′，２０１）の把持部（９１ｆ，１０３ｂ，２０３ｂ）は、前記筒状部材収容部（２０）に着脱可能に装着された状態で前記筒状部材着脱口（２１）の後側に露出する。したがって、前記把持部（９１ｆ，１０３ｂ，２０３ｂ）を把持して前記筒状部材（１９，９１，１０１，１０１′，２０１）の外筒（２＋７）への着脱を容易に行うことができる。
前記筒状部材（１９，９１，１０１，１０１′，２０１）の内側には所定の機能を有する機能部品が収容される。したがって、共通の筒状部材に種々の機能部品を収容したり、機能部品に応じて前記筒状部材（１９，９１，１０１，１０１′，２０１）の構成を変更したりすることにより、種々の機能部品を装着可能な筆記具を提供することが可能である。
前記筒状部材（１９，９１，１０１，１０１′，２０１）の後端部外周面に形成されたオスネジは、前記外筒（２＋７）の内側面後端部に形成されたメスネジと螺合した状態で前記外筒後端部に装着される。
前記筒状部材（１９，９１，１０１，１０１′，２０１）および前記外筒（２＋７）は、前記ネジ連結により、容易に着脱可能である。
【００１４】
（第１発明の形態３または第２発明の形態１）
第１発明の形態３または第２発明の形態１の筆記具は、前記第１発明または第２発明において、次の構成要件（Ａ010）を備えたことを特徴とする。
（Ａ010）前記筒状部材収容部（２０）に収容される部分が前記外筒内側面に嵌合状態で収容される外径を有し、前端から後端までほぼ同一の内径を有する円筒である前記筒状部材（１９，９１，１０１，１０１′，２０１）。
（第１発明の形態３または第２発明の形態１の作用）
前記構成要件（Ａ011）を備えた第１発明の形態３または第２発明の形態１の筆記具では、前記筒状部材（１９，９１，１０１，１０１′，２０１）は、前記筒状部材収容部（２０）に収容される部分が前記外筒内側面に嵌合状態で収容される外径を有し、前端から後端までほぼ同一の内径を有するので、筒状部材（１９，９１，１０１，１０１′，２０１）の内側の空間を有効に利用することができる。
【００１５】
（第３発明）
第３発明の筆記具は、次の構成要件（Ａ01）〜（Ａ03），（Ａ010）を備えたことを特徴とする。
（Ａ01）筆記用芯部材（６）が出没可能な前端開口（７１）と、後端に形成された筒状部材着脱口（２１）と、前記筒状部材着脱口（２１）から挿入される筒状部材（１９，９１，１０１，１０１′，２０１）が着脱可能に装着される筒状部材収容部（２０）とが設けられた外筒（２＋７）、
（Ａ02）前記外筒（２＋７）の前記筒状部材着脱口（２１）から挿入された状態で前記筒状部材収容部（２０）に着脱可能に装着され且つ、装着された状態で前記筒状部材着脱口（２１）の後側に露出する把持部（９１ｆ，１０３ｂ，２０３ｂ）を有する前記筒状部材（１９，９１，１０１，１０１′，２０１）、
（Ａ03）内側に所定の機能を有する機能部品を収容可能な前記筒状部材（１９，９１，１０１，１０１′，２０１）、
（Ａ010）前記筒状部材収容部（２０）に収容される部分が前記外筒内側面に嵌合状態で収容される外径を有し、前端から後端までほぼ同一の内径を有する円筒である前記筒状部材（１９，９１，１０１，１０１′，２０１）。
【００１６】
（第３発明の作用）
前記構成要件（Ａ01）〜（Ａ03），（Ａ010）を備えた第３発明の筆記具では、外筒（２＋７）の前端開口（７１）は、筆記用芯部材（６）が出没可能である。外筒（２＋７）の後端に形成された筒状部材着脱口（２１）から挿入される筒状部材（１９，９１，１０１，１０１′，２０１）は、筒状部材収容部（２０）に着脱可能に装着される。前記筒状部材（１９，９１，１０１，１０１′，２０１）の把持部（９１ｆ，１０３ｂ，２０３ｂ）は、前記筒状部材収容部（２０）に着脱可能に装着された状態で前記筒状部材着脱口（２１）の後側に露出する。したがって、前記把持部（９１ｆ，１０３ｂ，２０３ｂ）を把持して前記筒状部材（１９，９１，１０１，１０１′，２０１）の外筒（２＋７）への着脱を容易に行うことができる。
前記筒状部材（１９，９１，１０１，１０１′，２０１）の内側には所定の機能を有する機能部品が収容される。したがって、共通の筒状部材に種々の機能部品を収容したり、機能部品に応じて前記筒状部材（１９，９１，１０１，１０１′，２０１）の構成を変更したりすることにより、種々の機能部品を装着可能な筆記具を提供することが可能である。
前記筒状部材（１９，９１，１０１，１０１′，２０１）は、前記筒状部材収容部（２０）に収容される部分が前記外筒内側面に嵌合状態で収容される外径を有し、前端から後端までほぼ同一の内径を有する円筒なので、筒状部材（１９，９１，１０１，１０１′，２０１）の内側の空間を有効に利用することができる。
【００１７】
（第４発明）
第４発明の筆記具は、次の構成要件（Ａ01）〜（Ａ03），（Ａ011），（Ａ012）を備えたことを特徴とする。
（Ａ01）筆記用芯部材（６）が出没可能な前端開口（７１）と、後端に形成された筒状部材着脱口（２１）と、前記筒状部材着脱口（２１）から挿入される筒状部材（１９，９１，１０１，１０１′，２０１）が着脱可能に装着される筒状部材収容部（２０）とが設けられた外筒（２＋７）、
（Ａ02）前記外筒（２＋７）の前記筒状部材着脱口（２１）から挿入された状態で前記筒状部材収容部（２０）に着脱可能に装着され且つ、装着された状態で前記筒状部材着脱口（２１）の後側に露出する把持部（９１ｆ，１０３ｂ，２０３ｂ）を有する前記筒状部材（１９，９１，１０１，１０１′，２０１）、
（Ａ03）内側に所定の機能を有する機能部品を収容可能な前記筒状部材（１９，９１，１０１，１０１′，２０１）、
（Ａ011）前記筆記用芯部材（６）が出没可能な前端開口（７１）および前記筆記用芯部材（６）が貫通する後端貫通口（７２）が形成された前部外筒（７）と、前記後端貫通口（７２）に接続し且つ前記筆記用芯部材（６）が前後に移動可能に貫通する前端貫通口（２２）、前記筒状部材収容部（２０）および前記筒状部材着脱口（２１）を有する後部外筒（２）を有する前記外筒（２＋７）、
（Ａ012）前記後部外筒（２）を前記前部外筒（７）に対して回転させたときに前記筆記用芯部材（６）を前記前部外筒（７）の前端開口（７１）から出没させるために前記後部外筒（２）内周面に形成されたカム（２６）。
【００１８】
（第４発明の作用）
前記構成要件（Ａ01）〜（Ａ03），（Ａ011），（Ａ012）を備えた第４発明の筆記具では、外筒（２＋７）の前端開口（７１）は、筆記用芯部材（６）が出没可能である。外筒（２＋７）の後端に形成された筒状部材着脱口（２１）から挿入される筒状部材（１９，９１，１０１，１０１′，２０１）は、筒状部材収容部（２０）に着脱可能に装着される。前記筒状部材（１９，９１，１０１，１０１′，２０１）の把持部（９１ｆ，１０３ｂ，２０３ｂ）は、前記筒状部材収容部（２０）に着脱可能に装着された状態で前記筒状部材着脱口（２１）の後側に露出する。したがって、前記把持部（９１ｆ，１０３ｂ，２０３ｂ）を把持して前記筒状部材（１９，９１，１０１，１０１′，２０１）の外筒（２＋７）への着脱を容易に行うことができる。
前記筒状部材（１９，９１，１０１，１０１′，２０１）の内側には所定の機能を有する機能部品が収容される。したがって、共通の筒状部材に種々の機能部品を収容したり、機能部品に応じて前記筒状部材（１９，９１，１０１，１０１′，２０１）の構成を変更したりすることにより、種々の機能部品を装着可能な筆記具を提供することが可能である。
【００１９】
前記筆記用芯部材（６）が貫通する後端貫通口（７２）が形成された前部外筒（７）の前端開口（７１）から出没可能な筆記用芯部材（６）は、後端貫通口（７２）を貫通する。前記筆記用芯部材（６）は、前記後端貫通口（７２）に接続し且つ後部外筒（２）に設けた前端貫通口（２２）を前後に移動可能に貫通する。
前記後部外筒（２）内周面に形成されたカム（２６）は、前記後部外筒（２）を前記前部外筒（７）に対して回転させたときに前記筆記用芯部材（６）を前記前部外筒（７）の前端開口（７１）から出没させる。前記筆記用芯部材（６）を前記前部外筒（７）の前端開口（７１）から突出させた状態では筆記することができる。
【００２０】
（第１発明の形態４、第２発明の形態２または第３発明もしくは第４発明の形態１）
第１発明の形態４、第２発明の形態２または、第３発明もしくは第４発明の形態１の筆記具は、第１発明ないし第４発明のいずれかまたは第１発明の形態１ないし３のいずれか、第２発明の形態１において、次の構成要件（Ａ013）を備えたことを特徴とする。
（Ａ013）筆記用芯部材（６）の後端または前記筆記用芯部材（６）と一体的に移動する芯部材連動移動体の後端部を収容可能な前端筒状部を有する前記筒状部材（１９，９１，１０１，１０１′，２０１）。
【００２１】
（第１発明の形態４、第２発明の形態２または、第３発明もしくは第４発明の形態１の作用）
前記構成要件（Ａ013）を備えた第１発明の形態４、第２発明の形態２または、第３発明もしくは第４発明の形態１の筆記具では、前記筒状部材（１９，９１，１０１，１０１′，２０１）は、前記筒状部材（１９，９１，１０１，１０１′，２０１）の前端筒状部（９１ａ，１９１，１０２，２０２）内側に筆記用芯部材（６）の後端または前記筆記用芯部材（６）と一体的に移動する芯部材連動移動体（４）の後端部を収容することにより、筆記具の長さを短くすることが可能になる。
【００２２】
（第１発明の形態５、第２発明の形態３または、第３発明もしくは第４発明の形態２）
第１発明の形態５、第２発明の形態３または、第３発明もしくは第４発明の形態２の筆記具は、第１発明ないし第４発明のいずれか、第１発明の形態１ないし４のいずれか、第２発明の形態１もしくは２、または第３発明または第４発明の形態１のいずれかにおいて、次の構成要件（Ａ014），（Ａ015）を備えたことを特徴とする。
（Ａ014）前記筒状部材（１９，９１，１０１，１０１′，２０１）と円筒状部材収容部（２０）との間をシールするシール部材であって、前記シール部材の後側の筒状部材収容部（２０）と筒状部材外側面との間の隙間と、前記シール部材の前側の筒状部材収容部（２０）と筒状部材外側面との間の隙間を遮断する前記シール部材。
（Ａ015）筒状部材（１９，９１，１０１，１０１′，２０１）内部を前端部分とその後方部分とに液密に分離する分離壁（１９１ｃ，１０２ｂ，１０３ｃ）。
【００２３】
（第１発明の形態５、第２発明の形態３または、第３発明もしくは第４発明の形態２の作用）
前記構成要件（Ａ014），（Ａ015）を備えた第１発明の形態５、第２発明の形態３または、第３発明もしくは第４発明の形態２の筆記具では、前記筒状部材（１９，９１，１０１，１０１′，２０１）と筒状部材収容部（２０）との間をシールするシール部材（１９１ｄ，１９１ｅ，１９１ｆ）は、前記シール部材の後側の筒状部材収容部（２０）と筒状部材外側面との間の隙間と、前記シール部材の前側の筒状部材収容部（２０）と筒状部材外側面との間の隙間を遮断する。
前記シール部材としては、ゴム状のシールリングやグリース等のシール剤などが挙げられる。
また、筒状部材（１９，９１，１０１，１０１′，２０１）内部の前端部分とその後方部分とは、分離壁（１９１ｃ，１０２ｂ，１０３ｃ）により液密に分離される。このため、筆記用芯部材（６）のインクが漏出しても、前記漏出したインクにより筒状部材（１９，９１，１０１，１０１′，２０１）内部の機能部品が汚染されることを防止することができる。
【００２４】
（第５発明）
第５発明の筆記具用外筒は、次の構成要件（Ａ01），（Ａ04）を備えたことを特徴とする。
（Ａ01）筆記用芯部材（６）が出没可能な前端開口（７１）と、後端に形成された筒状部材着脱口（２１）と、前記筒状部材着脱口（２１）から挿入される筒状部材（１９，９１，１０１，１０１′，２０１）が着脱可能に装着される筒状部材収容部（２０）とが設けられた外筒（２＋７）、
（Ａ04）前記外筒（２＋７）の内側面に形成され且つ前記筒状部材（１９，９１，１０１，１０１′，２０１）を前後にガイドする筒状部材ガイド部（２５）と、前記筒状部材収容部（２０）に装着された筒状部材（１９，９１，１０１，１０１′，２０１）が軸方向に容易に移動しないように係止する筒状部材係止部（２４）とを有する前記外筒（２＋７）。
【００２５】
（第５発明の作用）
前記構成要件（Ａ01），（Ａ04）を備えた第５発明の筆記具用外筒（２＋７）では、筆記用芯部材（６）が出没可能な前端開口（７１）を有する外筒（２＋７）の後端に形成された筒状部材着脱口（２１）から挿入される筒状部材（１９，９１，１０１，１０１′，２０１）は、筒状部材収容部（２０）に着脱可能に装着される。
前記外筒（２＋７）の内側面に形成された筒状部材ガイド部（２５）は、前記筒状部材（１９，９１，１０１，１０１′，２０１）を前後にガイドする。前記外筒（２＋７）の筒状部材係止部（２４）は、前記筒状部材収容部（２０）に装着された筒状部材（１９，９１，１０１，１０１′，２０１）が軸方向に容易に移動しないように係止する。
したがって、前記外筒（２＋７）は、前記筒状部材（１９，９１，１０１，１０１′，２０１）を、外筒（２＋７）の内側面の所定の軸方向位置に所定の姿勢（所定の回転位置）に容易に装着することができる。
【００２６】
（第６発明）
第６発明の筆記具用の筒状部材（１９，９１，１０１，１０１′，２０１）は、次の構成要件（Ａ016），（Ａ03），（Ａ010）を備えたことを特徴とする。
（Ａ016）筆記用芯部材（６）が出没可能な前端開口（７１）を有する外筒（２＋７）の後端に設けた筒状部材着脱口（２１）から挿入することにより前記外筒（２＋７）の筒状部材収容部（２０）に着脱可能に装着され、且つ装着された状態で前記円筒状部材着脱口（２１）の後側に露出する把持部（９１ｆ，１０３ｂ，２０３ｂ）と、前記把持部（９１ｆ，１０３ｂ，２０３ｂ）の後端側に形成された尾栓着脱部（９１ｇ，１０１ａ）とを有する筒状部材（１９，９１，１０１，１０１′，２０１）、
（Ａ03）内側に所定の機能を有する機能部品を収容可能な前記筒状部材（１９，９１，１０１，１０１′，２０１）、
（Ａ010）前記筒状部材収容部（２０）に収容される部分が前記外筒内側面に嵌合状態で収容される外径を有し、前端から後端までほぼ同一の内径を有する円筒である前記筒状部材（１９，９１，１０１，１０１′，２０１）。
【００２７】
（第６発明の作用）
前記構成要件（Ａ016），（Ａ03），（Ａ010）を備えた第６発明の筆記具用の筒状部材（１９，９１，１０１，１０１′，２０１）は、筆記用芯部材（６）が出没可能な前端開口（７１）を有する外筒（２＋７）の後端に設けた筒状部材着脱口（２１）から挿入することにより前記外筒（２＋７）の筒状部材収容部（２０）に着脱可能に装着される。筒状部材（１９，９１，１０１，１０１′，２０１）の把持部（９１ｆ，１０３ｂ，２０３ｂ）は、前記装着された状態で前記筒状部材着脱口（２１）の後側に露出する。前記把持部（９１ｆ，１０３ｂ，２０３ｂ）の後端側に形成された尾栓着脱部（９１ｇ，１０１ａ，）には尾栓が着脱される。
前記筒状部材（１９，９１，１０１，１０１′，２０１）の内側には、所定の機能を有する機能部品が収容される。
前記筒状部材（１９，９１，１０１，１０１′，２０１）は、前記筒状部材収容部（２０）に収容される部分が前記外筒内側面に嵌合状態で収容される。また、前記筒状部材（１９，９１，１０１，１０１′，２０１）の内径は、前端から後端までほぼ同一の内径を有する円筒なので、筒状部材（１９，９１，１０１，１０１′，２０１）の内部容積を大きくすることが可能である。また、筒状部材（１９，９１，１０１，１０１′，２０１）の前端部内側には、筆記用芯部材（６）の後端部または前記後端部に装着されたスライダ等を収容可能である。その場合、筆記具１の全長が長くなるの防止することができる。
【００２８】
（第６発明の形態１）
第６発明の形態１の筆記具用の筒状部材（１９，９１，１０１，１０１′，２０１）は、前記第６発明において次の構成要件（Ａ017）を備えたことを特徴とする。
（Ａ017）前記筒状部材（１９，９１，１０１，１０１′，２０１）の外側面に形成され且つ前記外筒内側面に形成された筒状部材ガイド部（２５）により前後方向にガイドされる被ガイド部（９１ｄ，１９３，１０５，２０５）と、前記筒状部材収容部（２０）に装着された状態で前記筒状部材（１９，９１，１０１，１０１′，２０１）が軸方向に容易に移動しないように前記外筒内側面に形成された筒状部材係止部（２４）により係止される被係止部（９１ｃ，１９１ｂ，１０２ａ，２０２ａ）とを有する前記筒状部材（１９，９１，１０１，１０１′，２０１）。
【００２９】
（第６発明の形態１の作用）
前記構成要件（Ａ017）を備えた第６発明の形態１の筆記具用の筒状部材（１９，９１，１０１，１０１′，２０１）では、前記筒状部材（１９，９１，１０１，１０１′，２０１）の外側面に形成された被ガイド部（９１ｄ，１９３，１０５，２０５）が、前記外筒内側面に形成された筒状部材ガイド部（２５）により前後方向にガイドされる。前記筒状部材（１９，９１，１０１，１０１′，２０１）が前記筒状部材収容部（２０）に装着された状態では、前記筒状部材（１９，９１，１０１，１０１′，２０１）の被係止部（９１ｃ，１９１ｂ，１０２ａ，２０２ａ）は、軸方向に容易に移動しないように前記外筒内側面に形成された筒状部材係止部（２４）により係止される。
したがって、前記筒状部材（１９，９１，１０１，１０１′，２０１）は、外筒（２＋７）の内側に、所定の軸方向の位置で且つ所定の姿勢（回転位置）に装着される。
【００３０】
（第６発明の形態２）
第６発明の形態２の筆記具用の筒状部材（１９，９１，１０１，１０１′，２０１）は、第６発明または第６発明の形態１において次の構成要件（Ａ018）を備えたことを特徴とする。
（Ａ018）弾性調節用の切除部（９１ｂ，１９１ａ）と前記被係止部（９１ｃ，１９１ｂ，１０２ａ，２０２ａ）とが前端筒状部（９１ａ，１９１，１０２，２０２）に形成された前記筒状部材（１９，９１，１０１，１０１′，２０１）。
（第６発明の形態２の作用）
前記構成要件（Ａ018）を備えた第６発明の形態２の筆記具用の筒状部材（１９，９１，１０１，１０１′，２０１）では、弾性調節用の切除部（９１ｂ，１９１ａ）により前端筒状部（９１ａ，１９１，１０２，２０２）に適切な弾性を付与することが可能である。したがって、前記弾性変形可能な前端筒状部（９１ａ，１９１，１０２，２０２）に形成された前記被係止部（９１ｃ，１９１ｂ，１０２ａ，２０２ａ）を、筆記具の外筒（２＋７）内部の係止部材に容易に係止させることができる。
【発明の効果】
【００３１】
前述の本発明の複合筆記具は、下記の効果（Ｅ01）〜（Ｅ07）を奏する。
（Ｅ01）種々の機能部品を容易に着脱可能な筆記具を提供することができる。
（Ｅ02）筆記具の外筒後部に種々の機能部品を容易に着脱可能にすることができる。
（Ｅ03）種々の機能部品を収容可能または保持可能な筒状部材を、筆記具の外筒後部に形成した筒状部材収容孔の所定位置に所定の姿勢で容易に着脱可能にすることができる。
（Ｅ04）筆記具の外筒後部に容易に着脱可能な種々の機能部品を収容または保持する筒状部材の内容積をできるだけ大きくすることができる。
（Ｅ05）筆記具外筒の前端から出没可能な筆記用芯部材の後端部または前記筆記用芯部材の後端に連結されたスライダ等の連結部材等を前記筒状部材内部に配置することにより筆記具の長さを短縮することができる。
（Ｅ06）外筒内部に収容された筆記用芯部材のインクが漏れたときに、前記漏れたインクにより前記機能部品が汚染されるのを防止することができる。
（Ｅ07）外筒内部に収容された筆記用芯部材のインクが漏れたときに、前記漏れたインクが前記外筒の後端から漏出するのを防止することができる。
【発明を実施するための最良の形態】
【００３２】
次に図面を参照しながら、本発明の実施の形態の具体例（実施例）を説明するが、本発明は以下の実施例に限定されるものではない。
なお、本明細書で前記「複合筆記具」とは、「筆記用芯部材を外筒内部に前後に移動可能に収容し、前記複数の筆記用芯部材の中の一つの筆記用芯部材を前記外筒の前部開口から順次前方に突出させることができる筆記具」という意味である。
【実施例１】
【００３３】
図１は本発明の複合筆記具の実施例１の全体説明図で、図１Ａは全部品の組立状態の側断面図、図１Ｂは同平断面図である。
図２は前記図１の複合筆記具の分解図である。
図１、図２において、複合筆記具１は、後部外筒２と、前記後部外筒２の内側前部に３６０度未満の所定角度範囲で回転可能に収容されたスライダ支持ケース３と、前記スライダ支持ケース３の後部にスライド可能に支持されたスライダ（芯部材連動移動体）４と、前記スライダの前端と前記スライダ支持ケースとの間に配置されたリターンバネ５と、前記スライダに着脱可能に装着された筆記用芯部材６と、前記スライダ支持ケース３の前端部に着脱可能に装着された前部外筒７と、前部外筒７表面に装着されたグリップ用ラバー８と、前記後部外筒２の内側後部に着脱可能に装着されるカートリッジ９と、前記カートリッジ９の後部を被覆するカバーキャップ１０とを有している。前記カートリッジ９の後部とカバーキャップ１０とは、ネジ式、弾性嵌合式等の方法により連結することができる。
前記後部外筒２および前部外筒７により外筒（２＋７）が構成されている。
【００３４】
図３は前記図１、図２に示す後部外筒２の説明図で、図３Ａは上面図、図３Ｂは前記図３Ａの側面図で前記図３Ａの矢印IIIＢから見た図、図３Ｃは前記図３ＡのIIIＣ−IIIＣ線断面図である。
図４は前記図３に示す後部外筒２の説明図で、図４Ａは前記図３ＣのIＶＡ−IＶＡ線端面図、図４Ｂは前記図３ＣのIＶＢ−IＶＢ線端面図、図４Ｃは前記図３ＣのIＶＣ−IＶＣ線端面図、図４Ｄは前記図３ＣのIＶＤ−IＶＤ線端面図、図４Ｅは前記図３ＣのIＶＥ−IＶＥ線端面図、図４Ｆは前記図３ＣのIＶＦ−IＶＦ線から見た後部外筒内側面のカムの展開図、図４Ｇは前記図４Ｆの矢印IＶＧで示した部分の拡大図である。なお、図４において、クリップの図示は省略している。
図３Ｃにおいて後部外筒２は円筒状の筒状部材であり、その後部内側にはカートリッジ収容部（筒状部材収容部）２０が形成されており、後端には筒状部材着脱口２１が形成されている。また、後部外筒２の前端には複数の筆記用芯部材６が貫通する前端貫通孔２２が形成されている。
前記後部外筒２の軸方向内側面には内側に突出するリング状係止部２３が形成されている。リング状係止部２３はスライダ支持ケース３を回転可能且つ軸方向の移動は不可能に係止するための部材である。
【００３５】
前記リング状係止部２３のやや後部側（図３Ｃで右側）には内側に突出する円弧状のカートリッジ係止部（筒状部材係止部）２４が形成されている。また図３Ｃの内側上面には軸方向に延びるカートリッジガイド部（筒状部材ガイド部）２５が形成されている。カートリッジガイド部２５はカートリッジ９を後部外筒２内部に挿入する際にカートリッジ９の被ガイド部９１ｄ（後述）と係合するため部材であり、前記カートリッジ係止部２４はカートリッジ９が挿入された時に軸方向の位置を定める部材である。なお、前記カートリッジガイド部２５は、カートリッジ収容部（筒状部材収容部）２０の上面に設ける代わりに、下面、側面等に形成することが可能である。なお、カートリッジ９については後述する。
前記リング状係止部２３のやや前側にはスライダ移動用ガイド（カム）２６が形成されている。スライダ移動用ガイド２６は図４Ｃ、図４Ｆに示されている。スライダ移動用ガイド２６は、その前端部に形成されたスライダ係止凹部２６ａ（図３Ｃ、図４Ｆ参照）と、前記スライダ係止凹部２６ａの両端部から後方に延びる一対の傾斜面２６ｂ，２６ｂと、前記傾斜面の後端から円周方向に延びるスライダ後端位置規制部２６ｃ，２６ｃとを有している。
前記後部外筒２の内側前端部には回転範囲規制用突出部２７（図３Ｃ、図４Ｅ参照）と内径の大きな回転位置規制部材収容部２８とが形成されている。
【００３６】
図５は前記図３、図４に示す後部外筒に回転可能且つ軸方向（前後方向）に移動不能に支持されるスライダ支持ケースの説明図で、図５Ａは上面図、図５Ｂは前記図５Ａの矢印ＶＢから見た図、図５Ｃは前記図５ＡのＶＣ−ＶＣ線断面図である。
図６は前記図５に示すスライダ支持ケースの説明図で、図６Ａは前記図５ＣのＶIＡ−
ＶIＡ線端面図、図６Ｂは前記図５ＣのＶIＢ−ＶIＢ線端面図、図６Ｃは前記図５ＣのＶＣＡ−ＶIＣ線端面図、図６Ｄは前記図５ＣのＶIＤ−ＶIＤ線端面図、図６Ｅは前記図５ＣのＶIＥ−ＶIＥ線端面図、図６Ｆは前記図５ＣのＶIＦ−ＶIＦ線端面図、図６Ｇは前記図５ＣのＶIＧ−ＶIＧ線断面図である。
【００３７】
図５において、スライダ支持ケース３は、前部（図５で左側部分）は円筒状に形成されており、その外周面にはオスネジ３１が形成されている。前記オスネジ３１の後側には大径のフランジ３２が形成されている。前記フランジの後側（図５で右側）の外側面には下側には突出する回転位置規制部材３３が設けられている。前記フランジ３２の部分とその後側（図５で右側）のフランジ隣接部分の内側には端壁（ガイド溝前端壁）３４が形成されており、前記ガイド溝前端壁３４にはコーナ部（角部）を丸めたおむすび形状の芯部材貫通孔３４ａ（図６Ｆ参照）が形成されている。
前記芯部材貫通孔３４ａの後側には前記芯部材貫通孔３４ａに接続し且つ前後に延びる３個のスライダガイド溝３５が形成されている。前記３個のスライダガイド溝３５は前記芯部材貫通孔３４ａに近い部分では仕切部材３６（図６Ｃ，図６Ｄ，図６Ｅ参照）により完全に分離されている。前記仕切部材３６は、円柱に軸方向に延びる３個のスライダガイド溝３５を設けた形状の部材である。したがって、仕切部材３６の外側面の形状は部分円筒面である。
【００３８】
前記仕切部材３６は、前記芯部材貫通孔３４ａから離れた後側部分（図５で右側部分）では仕切部材３６の中心部分が除去されて、図６Ａ、図６Ｂに示すように３個の仕切部材３７に分割されている。したがって、前記３個のスライダガイド溝３５は、前記芯部材貫通孔３４ａから遠い後側部分（図５で右側部分）では部分的に連通状態で、前記３個の仕切部材３７の間に形成されている。図６Ａ、図６Ｂから分かるように、前記３個の仕切部材３７の外側面の形状も部分円筒面である。
前記３個の仕切部材３７の外側面には円周方向に被係止溝３７ａが形成されており、被係止溝３７ａの後側には、後側に行くに従って外径が縮小する傾斜面３７ｂが形成されている。前記スライダ支持ケース３を前記後部外筒２の前端貫通口２２から挿入した際、前記傾斜面３７ｂは後部外筒２のリング状係止部２３により外径が縮小した状態で、前記リング状係止部２３を後方に通過する。前記傾斜面３７ｂがリング状係止部２３を後方に通過した時、前記被係止溝３７ａの外径が拡大して、前記リング状係止部２３に係止される。係止された状態では、被係止溝３７ａは前記リング状係止部２３に回転可能且つ前後方向の移動不能に連結される。
前記スライダ支持ケース３の回転位置規制部材３３は前記後部外筒２の回転位置規制部材収容部２８（図３Ｃ、図４Ｅ参照）に回転可能に収容され、回転範囲規制用突出部２７と係合する位置で回転が規制される。
スライダ支持ケース３の前端部の外周面には円周方向に離れた３か所の位置に、前記３個のスライダガイド溝３５の位置に対応して、ブルー（青）のボールペンを挿入する位置を示す「Ｌ」（図５Ａ参照）、レッド（赤）のボールペンを挿入する位置を示す「Ｒ」（図５Ｂ参照）、および、ブラック（黒）のボールペンを挿入する位置を示す「Ｂ」（図示せず）の小さい文字が形成されている。
【００３９】
図７はスライダ支持ケースと、前記スライダ支持ケースにより前後にスライド可能に支持されるスライダと、前記スライダを常時後方（図７で右方）に移動させる力を作用させるリターンバネと、前記スライダに着脱可能に装着される筆記用芯部材との説明図で、図７Ａは各部品を組み立てた状態の側面図、図７Ｂは前記図７Ａの分解図である。
図８は前記図７の平面図で、図８Ａは各部品を組み立てた状態の平面図、図８Ｂは前記図８Ａの分解図である。
なお、本実施例１では筆記用芯部材６は３本使用しているが、図７、図８において筆記用芯部材６を３本図示すると、図面の記載が複雑になるので、筆記用芯部材６は２本のみ
図示している。
【００４０】
図７、図８において、スライダ支持ケース３のスライダ支持ケース３の後部の３個の各スライダガイド溝３５にはそれぞれスライダ４が前後に移動可能に支持されている。前記スライダ４の前端部と前記スライダガイド溝３５の前端部との間にはリターンバネ５が配置されており、スライダ４は常時後方（図７、図８で右方）に移動する力を受けている。前記スライダ支持ケース３の前記芯部材貫通孔３４ａを前方から後方に貫通した筆記用芯部材６の後端部は前記スライダ４の芯部材装着孔（４１）（後述）に着脱可能に装着される。
【００４１】
図９はスライダ支持ケースと、前記スライダ支持ケースのスライダガイド溝に前後に移動可能（スライド可能）に支持されるスライダと、前記スライダを常時後方に移動させる力を作用させるリターンバネと、前記スライダに着脱可能に装着される筆記用芯部材６の説明図で、図９Ａは各部品を組み立てた状態を示す図、図９Ｂは前記図９Ａの分解図である。
図１０は前記スライダの拡大説明図で、図１０Ａは上面図、図１０Ｂは側面図で前記図１０Ａの矢印ＸＢから見た図、図１０Ｃは前記図１０ＡのＸＣ−ＸＣ線断面図である。
図１１は前記スライダの拡大説明図で、図１１Ａは前記図１０Ｃの矢印ＸIＡ−ＸIＡから見た図、図１１Ｂは前記図１０ＣのＸIＢ−ＸIＢ線端面図、図１１Ｃは前記図１０ＣのＸIＣ−ＸIＣ線断面図、図１１Ｄは前記図１０Ｃの矢印ＸIＤ−ＸIＤから見た図である。
【００４２】
図１０、図１１において、スライダ４は円筒状部材であり、筆記用芯部材６の後端部が着脱可能に装着される芯部材装着孔４１（図１０Ｃ、図１１Ｂ等参照）を有している。芯部材装着孔４１の内部には、芯部材装着孔４１内部には筆記用芯部材６が挿入された時に筆記用芯部材６を摩擦力により保持するための上下一対の突出部４１ａ，４１ａが設けられいてる。
芯部材装着孔４１の前端は開口しておりその開口部端面にはバネ受け座４２が形成されている。バネ受け座４２はリターンバネ５（図９参照）の後端部を支持する部分である。芯部材装着孔４１の後端には後端壁４３が設けられている。後端壁４３の内面は前記筆記用芯部材６の後端が当接する面である。
スライダ４の前側部分（図１０で左側部分）上部には後向きの一対の傾斜面４４，４４が設けられている。この傾斜面４４，４４は、前記図４Ｆに示す後部外筒２のスライダ移動用ガイド２６の傾斜面２６ｂ，２６ｂと係合する面である。このスライダ４の傾斜面４４が前記スライダ移動用ガイド２６の傾斜面２６ｂと係合した状態で、前記スライダ支持ケース３および後部外筒２が相対的に回転すると、傾斜面２６ｂによりスライダ４の傾斜面が円周方向に押されて、スライダ４は前記傾斜面２６ｂに沿ってスライド移動する。このとき、スライダ４は前後方向に移動する。
【００４３】
前記スライダ４の傾斜面４４，４４の先端部は、スライダ４が前側に移動したときに、前記後部外筒２のスライダ係止凹部２６ａに嵌合する部分である。
前記後部外筒２に形成したスライダ移動用ガイド２６の傾斜面２６ｂとスライダ４に設けた傾斜面４４とを係合させた状態で後部外筒２およびスライダ支持ケース３を相対的に回転させることにより、複数のスライダを順次前方に移動させると同時に前方に移動していたスライダ４を後方に移動させる構成は従来周知である。
【００４４】
図１２は前部外筒およびその表面に装着されるグリップ用ラバーの説明図で、図１２Ａは上面図、図１２Ｂは側面図で前部外筒図１２Ａの矢印ＸIIＢから見た図、図１２Ｃは側断面図で前記図１２ＡのＸIIＣ−ＸIIＣ線断面図である。
図１３は前部外筒の説明図で、図１３Ａは前記図１２ＣのＸIIIＡ−ＸIIIＡ線断面図、図１３Ｂは前記図１２Ｃの矢印ＸIIIＢから見た図、図１３Ｃは前記図１２Ｃの矢印ＸIIIＣで示す部分の詳細図である。
図１２、図１３において、前部外筒７は円錐状部材であり、その前端に筆記用芯部材６が出没可能な前端開口７１が形成され、後端に後端貫通口７２が形成されている。前部外筒７の前端部内側には前後に延びる複数のＶ型溝７３が形成されている。Ｖ型溝７３は筆記用芯部材６としてボールペンを使用したとき、前部外筒７の前端部内側に付着したボールペン先端のインクが円周方向に広がるのを防止するための溝である。前部外筒７の後端部内側にメスネジ７４が形成されている。メスネジ７４は前記スライダ支持ケース３の前端部外周面に形成されたオスネジ３１と螺合するネジである。
【００４５】
前部外筒７の後端部内側面には前部外筒７の肉厚を調整するための複数の肉厚調整溝７５が形成されている。前部外筒７の成形時に肉厚が急激に変化する部分が有ると、その部分に応力の発生や歪みが生じ易いので、前記応力の発生や歪みの発生を防止するために前記肉厚調整溝７５が設けられている。
前記前部外筒７の外側面には弾性の有るグリップ用ラバー８が装着されている。グリップ用ラバー８は複合筆記具１の使用者の使用感覚を良くするための部材である。
【００４６】
図１４はカートリッジとカートリッジ後端に着脱可能なキャップとを説明する図で、図１４は上面図、図１４Ｂは側面図で前記図１４Ａの矢印ＸIＶＢから見た図、図１４Ｃは前記図１４Ｂとは反対側の側面図で前記図１４Ａの矢印ＸIＶＣから見た図、図１４Ｄは前記図１４ＡのＸIＶＤ−ＸIＶＤ線端面図である。
図１４において、本実施例１で使用しているカートリッジ９は、修正テープカートリッジである。カートリッジ９は、筒状部材９１と前記筒状部材９１の内部に修正テープ９２を巻かれたテープ供給用リール９３および巻取用リール９４を有している。前記テープ供給用リール９３から供給される修正テープ９２は後端のテープ支持部材９５の表面に沿って移動し、前記巻取用リールに巻き取られるように構成されている。
前記カートリッジ９の筒状部材９１の前端部には前端円筒部(前端筒状部)９１ａが形成されている。前記前端円筒部９１ａには、３本のスリット（弾性調節用切除部）９１ｂが形成されており、前記スリット９１ｂにより適当な弾性を有している。前端円筒部９１ａの外周面にはリング状の凹部（被係止部）９１ｃが形成されている。
【００４７】
また、前記筒状部材９１の外側面には前後に延びる被ガイド部９１ｄ，９１ｄ（図１４Ｃ、図１４Ｄ参照）が形成されている。前記被ガイド部９１ｄ，９１ｄは、カートリッジ９を前記後部外筒２の筒状部材着脱口２１から挿入した際に後部外筒２の内側面に形成されたカートリッジガイド部２５（図３Ｃ、図４Ａ参照）に係合してガイドされる部分である。前記被ガイド部９１ｄ，９１ｄがカートリッジガイド部２５に係合することにより、後部外筒２に対するカートリッジ９の回転位置の位置決めが行われる。
前記カートリッジ９が前記後部外筒２内部に挿入された状態では、前記後部外筒２のカートリッジ係止部２４（図３Ｃ参照）が前記リング状の凹部（被係止部）９１ｃと係合することにより、カートリッジ９の軸方向（前後方向）の位置決めが行われる。
【００４８】
前記筒状部材９１の後端部には前記後部外筒２の後端のカートリッジ着脱口２１（図２、図３参照）の後端に当接する当接部９１ｅが形成されている。前記当接部９１ｅの外周面には、カートリッジ９を外筒２内部から取り出す際に指を引っかけるための２個の把持部（操作用凸部）９１ｆが設けられている。前記筒状部材９１には前記把持部９１ｆの後端側に尾栓着脱部９１ｇが設けられている。
前記図１Ａ、図１Ｂから分かるように、カートリッジ９の前端円筒部９１ａの内部に、前記複数のスライダ４の後端部およびスライダ支持ケース３の仕切部材３７の後端部（すなわち、スライダ支持ケース３の後端部）が挿入されている。このため、複合筆記具の長さが長くなり過ぎないようにすることができる。
すなわち、この実施例１では、カートリッジ９の前端円筒部９１ａは、筆記用芯部材６の後端部に装着されて前記筆記用芯部材と一体的に移動するスライダ（芯部材連動移動体）４の後端部およびスライダ支持ケース（移動体支持部材）３の後端部を収容可能に構成されると同時に、その外周面に形成されたリング状の凹部（被係止部）９１ｃが前記後部外筒２のカートリッジ係止部２４（図３Ｃ参照）に着脱可能に係止可能な弾性を有するように構成されている。
【００４９】
（実施例１の作用）
前記構成を備えた本発明の実施例１の複合筆記具１は、図７Ａまたは図８Ａのように、スライダ支持ケース３にスライダ４、リターンバネ５および筆記用芯部材６を組付けた状態で、前記スライダ支持ケース３を後部外筒２の前端貫通口２２から後部外筒２内部に挿入する。そのとき、図１Ａ、図１Ｂに示すように、スライダ支持ケース３の３個の仕切部材３７の外側面に形成された被係止溝３７ａが、後部外筒２内側面に形成されたリング状係止部２３に係合する。この状態では、スライダ支持ケース３は後部外筒２内部で回転可能であるが、軸方向（前後方向）の移動は不可能である。
その状態では図１Ａ、図１Ｂに示すように、スライダ支持ケース３の前端部の円筒外側面に形成されたオスネジ３１（図５参照）は、後部外筒２の前端貫通口２２から前方に突出している。
前記スライダ支持ケース３の前端部外側面に形成されたオスネジ３１に、前部外筒７の後端部内周面に形成されたメスネジ７４を螺合させることにより、スライダ支持ケース３に前部外筒７を着脱可能に連結することができる。前記連結した状態（オスネジ３１およびメスネジ７４を締めつけた状態）では、スライダ支持ケース３および前部外筒７は相対移動不可能である。なお、オスネジ３１およびメスネジ７４を緩めた状態ではスライダ支持ケース３および前部外筒７は相対回転可能となる。
【００５０】
前記オスネジ３１およびメスネジ７４を締めつけてスライダ支持ケース３および前部外筒７を連結した状態では、スライダ支持ケース３の回転位置規制部材３３（図５Ｂ、図５Ｃ、図６Ｃ〜図６Ｅ参照）が、後部外筒２の回転位置規制部材収容部２８（図３Ｃ、図４Ｅ参照）内で回転可能である。すなわち、回転位置規制部材３３が回転範囲規制用突出部２７に係合するまで、スライダ支持ケース３は後部外筒２内部で回転可能である。
したがって、前記スライダ支持ケース３および前部外筒７を連結した状態で、スライダ支持ケース３および前部外筒７は、後部外筒２に対して所定の角度範囲（３６０°未満の範囲）内で回転可能である。したがって、後部外筒２に対して、スライダ支持ケース３および前部外筒７を回転させると、スライダ支持ケース３に支持されたスライダ４の傾斜面４４（図１０Ａ、図１１Ｄ参照）は、後部外筒２内側面に形成したスライダ移動用ガイド２６の傾斜面２６ｂ（図３Ｃ参照）と係合し、傾斜面２６ｂに押されて、前後方向にスライド移動する。このとき、複数の筆記用芯部材６の前端部を前部外筒７の前端開口７１から順次出没させることができる。
【００５１】
前記筆記用芯部材６の交換を行う際には、前記オスネジ３１およびメスネジ７４を緩めて、後部外筒２に支持されたスライダ支持ケース３から前部外筒７を離脱させる。その状態でスライダ支持ケース３の前端（図１参照）から突出している筆記用芯部材６を前方に引っ張ることにより、筆記用芯部材６をスライダ４から引き抜くことができる。
新しい筆記用芯部材６を前部外筒７スライダ４に装着するには、スライダ支持ケース３の前端から筆記用芯部材６を挿入する。前記スライダ支持ケースの芯部材貫通孔３４ａは、前記複数の筆記用芯部材６の全てが貫通する１個の貫通孔により形成されているので、複数の筆記用芯部材６が貫通する大きさを有している。したがって、前記１個の貫通孔により形成された芯部材貫通孔３４ａは、複数の筆記用芯部材６がそれぞれ貫通する複数の芯部材貫通孔を形成した場合に比較して、芯部材貫通孔３４ａの形状が大きいので、前記芯部材貫通孔３４ａの内側に筆記用芯部材６の後端を容易に挿入することができる。前記芯部材貫通孔３４ａの内側に挿入された筆記用芯部材６の後端は芯部材貫通孔３４ａの内周面により前記各スライダガイド溝３５にガイドされる。
【００５２】
このため、筆記用芯部材６を各スライダガイド溝３５に、容易に挿入することができるので、筆記用芯部材６を前記各スライダ４の芯部材装着孔４１に容易に装着することができる。前記スライダ４の芯部材装着孔４１に後端部が装着された前記筆記用芯部材６は、後部外筒２の前端貫通口２２内側に配置されたスライダ支持ケース３を前後に移動可能に貫通する。後部外筒２の前端貫通口２２を前後に移動可能に貫通する前記筆記用芯部材６は、前記後部外筒２の前端貫通口２２が前部外筒７の後端貫通口７２（図１２Ｃ参照）に接続した状態では、前部外筒７の後端貫通口７２を前後に移動可能に貫通する。その状態では、複数の筆記用芯部材６の前側部分は前部外筒７内部に収容されており、その状態で前方に移動した筆記用芯部材６は前部外筒の前端開口７１から前方に突出して筆記可能な状態となる。
【００５３】
前記円筒状の後部外筒２の後部内側にはカートリッジ収容部２０が形成されており、カートリッジ収容部２０には、内側に突出する円弧状のカートリッジ係止部２４と、軸方向に延びるカートリッジガイド部２５が形成されている。したがって、筒状部材着脱口２１からカートリッジ９を挿入したとき、カートリッジガイド部２５は、カートリッジ９の被ガイド部９１ｄ（図１４参照）と係合して、カートリッジ９を軸方向（前後方向）にガイドするので、カートリッジ収容部２０内でのカートリッジ９の回転位置を所定の回転位置に保持することができる。また、前記カートリッジ係止部２４は、カートリッジ９が挿入された時に凹部（被係止部）９１ｃと係合して、カートリッジ９の軸方向の位置決めを行う。
また、前記複数のスライダ４の後端部およびスライダ支持ケース３の仕切部材３７の後端部（すなわち、スライダ支持ケース３の後端部）は、前記カートリッジ９の前端円筒部９１ａの内部に挿入されているので、複合筆記具１の長さを短くすることができる。また、前端円筒部９１ａは、その外周面に形成されたリング状の凹部（被係止部）９１ｃが前記後部外筒２のカートリッジ係止部２４（図３Ｃ参照）に着脱可能に係止可能に弾性変形する。したがって、前記前端円筒部９１ａの弾性を利用して、カートリッジ９を後部外筒２のカートリッジ収容部２０内の軸方向の所定位置に確実に係止可能である。
【実施例２】
【００５４】
図１５は本発明の筆記具の実施例２の要部説明図で、図１５Ａは筆記具の部品の組立状態の要部側断面図、図１５Ｂは要部平断面図である。
図１６は筒状カートリッジと筒状カートリッジ後端に着脱可能なＵＳＢメモリとを説明する図で、図１６Ａは筒状カートリッジと前記筒状カートリッジに着脱可能に装着されたＵＳＢメモリの側断面図、図１６Ｂは前記図１６ＡのＸＶIＢ−ＸＶIＢ線断面図、図１６Ｃは前記図１６ＡのＸＶIＣ−ＸＶIＣ線断面図、図１６Ｄは前記図１６ＡのＸＶIＤ−ＸＶIＤ線端面図、図１６Ｅは前記図１６ＡのＸＶIＥ−ＸＶIＥ線端面図である。
図１７は前記図１６に示す筒状カートリッジと前記筒状カートリッジに着脱可能に装着されたＵＳＢメモリの斜視図である。
図１８は前記筒状カートリッジと筒状カートリッジ後端に着脱可能なＵＳＢメモリの分解説明図で、図１８Ａは分解斜視図、図１８Ｂは前記図１８ＡのＸＶIIIＢ−ＸＶIIIＢ線断面図である。
【００５５】
本実施例２の説明において前記実施例１と同一の構成については、同一の符号を付して、詳細な説明を省略する。前記図１〜図１３に示す後部外筒２、スライダ支持ケース３、スライダ４、リターンバネ５、筆記用芯部材６、前部外筒７等の構成は、実施例１および実施例２で共通である。
本発明の実施例２の筆記具１は、後部外筒２の後部内側に形成されたカートリッジ収容部２０に収容される筒状カートリッジ（筒状部材、すなわち、円筒状外側面を有する部材）１９の構成が前記実施例１の修正テープカートリッジ９と異なっている。
【００５６】
図２および図１５〜図１８において、本実施例１で使用している筒状カートリッジ（メモリ装着筒）１９は、前端円筒部（前端筒状部）１９１とその後側の筒状のメモリ装着部１９２とを有している。
図１５、図１６において、前記前端円筒部１９１には、３本のスリット（弾性調節用切除部）１９１ａが形成されており、前記スリット１９１ａにより適当な弾性を有している。前記前端円筒部１９１の外周面にはリング状の凹部（被係止部）１９１ｂが形成されており、前端円筒部１９１内側の後端には分離壁１９１ｃが形成されている。分離壁１９１ｃは前記筒状カートリッジ（筒状部材）１９の内側を前後に液密（または気密）に分離する部材であり、本実施例２では筒状カートリッジ１９と一体成形されているが、別体に構成することも可能である。なお、スリット１９１ａは省略することも可能である。
前記筒状のメモリ装着部１９２の内側にはメモリ装着孔１９２ａが形成されており、その後端にはメモリ着脱口１９２ｂが形成されている。また、メモリ装着部１９２には軸方向に延びる一対のスリット状開口（メモリガイド部）１９２ｃ，１９２ｃが形成されている。前記スリット状開口１９２ｃ，１９２ｃには円周方向に延びて形成された凹部により係止部１９２ｄ，１９２ｄが形成されている。またメモリ装着部１９２の後端部には前記後部外筒２の後端のカートリッジ着脱口２１（図２、図３参照）の後端に当接する当接部１９２ｅが形成されている。
【００５７】
また、前記筒状のメモリ装着部１９２および前端円筒部１９１の外側面には前後に延びる被ガイド部１９３，１９３（図１６Ａ、図１７参照）が形成されている。前記被ガイド部１９３，１９３は、筒状カートリッジ１９を前記後部外筒２のカートリッジ着脱口２１（図２、図３参照）から挿入した際に後部外筒２の内側面に形成されたカートリッジガイド部２５（図３Ｃ、図４Ａ参照）に係合してガイドされる部分である。前記被ガイド部１９３，１９３がカートリッジガイド部２５に係合することにより、後部外筒２に対する筒状カートリッジ１９の軸回りの回転位置の位置決めが行われる。
前記筒状カートリッジ１９が前記後部外筒２内部に挿入された状態では、前記後部外筒２のカートリッジ係止部２４（図３Ｃ参照）が前記リング状の凹部（被係止部）１９１ｂと係合することにより、筒状カートリッジ１９の軸方向（前後方向）の位置決めが行われる。
【００５８】
前記図１Ａ、図１Ｂから分かるように、筒状カートリッジ１９の前端円筒部１９１の内部に、前記複数のスライダ４の後端部およびスライダ支持ケース３の仕切部材３７の後端部（すなわち、スライダ支持ケース３の後端部）が挿入されている。このため、筆記具の長さが長くなり過ぎないようにすることができる。
【００５９】
図１８においてＵＳＢメモリ１１は、メモリ本体１１１と樹脂製の尾栓１１２とを有している。メモリ本体１１１の前端部にはＵＳＢ端子（接続端子部）１１１ａが設けられている。尾栓１１２の後部は作業者により把持される被ツマミ部１１２ａと、前記被ツマミ部１１２ａの前端から突出する一対の突出部１１２ｂ，１１２ｂとを有している。前記メモリ本体１１１の後端を前記一対の突出部１１２ｂ，１１２ｂの間に押し込むと、前記メモリ本体１１１の後端部は前記被ツマミ部１１２ａの前端部に形成されたメモリ嵌合孔１１２ｃ（図１６参照）に圧入され、固定される。前記突出部１１２ｂ，１１２ｂの前端には被係止凸部１１２ｄ，１１２ｄが設けられている。
図１８、図１６から分かるように、前記ＵＳＢメモリ１１を筒状カートリッジ１９内に挿入する際、前記スリット状開口１９２ｃ，１９２ｃは、ＵＳＢメモリ１１のメモリ本体１１１の一対の側端部をガイドする。また、図１７において、前記ＵＳＢメモリ１１を筒状カートリッジ１９内の奥まで挿入したとき、前記係止部１９２ｄと被係止凸部１１２ｄとが軸方向の同じ位置に配置される。その状態で、前記ＵＳＢメモリ１１を回転させるとＵＳＢメモリ１１の前記被係止凸部１１２ｄは、筒状カートリッジ１９の前記凹部により形成された係止部１９２ｄ内に移動し、その状態では、ＵＳＢメモリ１１は筒状カートリッジ１９内で軸方向に移動不能に装着される。
【００６０】
（実施例２の作用）
前記構成を備えた本発明の実施例２の筆記具１は、図７Ａまたは図８Ａのように、スライダ支持ケース３にスライダ４、リターンバネ５および筆記用芯部材６を組付けた状態で、前記スライダ支持ケース３を後部外筒２の前端貫通口２２から後部外筒２内部に挿入する。そのとき、図１Ａ、図１Ｂに示すように、スライダ支持ケース３の３個の仕切部材３７の外側面に形成された被係止溝３７ａが、後部外筒２内側面に形成されたリング状係止部２３に係合する。この状態では、スライダ支持ケース３は後部外筒２内部で回転可能であるが、軸方向（前後方向）の移動は不可能である。
その状態では図１Ａ、図１Ｂに示すように、スライダ支持ケース３の前端部の円筒外側面に形成されたオスネジ３１（図５参照）は、後部外筒２の前端貫通口２２から前方に突出している。
前記スライダ支持ケース３の前端部外側面に形成されたオスネジ３１に、前部外筒７の後端部内周面に形成されたメスネジ７４を螺合させることにより、スライダ支持ケース３に前部外筒７を着脱可能に連結することができる。前記連結した状態（オスネジ３１およびメスネジ７４を締めつけた状態）では、スライダ支持ケース３および前部外筒７は相対移動不可能である。なお、オスネジ３１およびメスネジ７４を緩めた状態ではスライダ支持ケース３および前部外筒７は相対回転可能となる。
【００６１】
前記オスネジ３１およびメスネジ７４を締めつけてスライダ支持ケース３および前部外筒７を連結した状態では、スライダ支持ケース３の回転位置規制部材３３（図５Ｂ、図５Ｃ、図６Ｃ〜図６Ｅ参照）が、後部外筒２の回転位置規制部材収容部２８（図３Ｃ、図４Ｅ参照）内で回転可能である。すなわち、回転位置規制部材３３が回転範囲規制用突出部２７に係合するまで、スライダ支持ケース３は後部外筒２内部で回転可能である。
したがって、前記スライダ支持ケース３および前部外筒７を連結した状態で、スライダ支持ケース３および前部外筒７は、後部外筒２に対して所定の角度範囲（３６０°未満の範囲）内で回転可能である。したがって、後部外筒２に対して、スライダ支持ケース３および前部外筒７を回転させると、スライダ支持ケース３に支持されたスライダ４の傾斜面４４（図１０Ａ、図１１Ｄ参照）は、後部外筒２内側面に形成したスライダ移動用ガイド２６の傾斜面２６ｂ（図３Ｃ参照）と係合し、傾斜面２６ｂに押されて、前後方向にスライド移動する。このとき、複数の筆記用芯部材６の前端部を前部外筒７の前端開口７１から順次出没させることができる。
【００６２】
前記筆記用芯部材６の交換を行う際には、前記オスネジ３１およびメスネジ７４を緩めて、後部外筒２に支持されたスライダ支持ケース３から前部外筒７を離脱させる。その状態でスライダ支持ケース３の前端（図１参照）から突出している筆記用芯部材６を前方に引っ張ることにより、筆記用芯部材６をスライダ４から引き抜くことができる。
新しい筆記用芯部材６を前部外筒７スライダ４に装着するには、スライダ支持ケース３の前端から筆記用芯部材６を挿入する。前記スライダ支持ケースの芯部材貫通孔３４ａは、前記複数の筆記用芯部材６の全てが貫通する１個の貫通孔により形成されているので、複数の筆記用芯部材６が貫通する大きさを有している。したがって、前記１個の貫通孔により形成された芯部材貫通孔３４ａは、複数の筆記用芯部材６がそれぞれ貫通する複数の芯部材貫通孔を形成した場合に比較して、芯部材貫通孔３４ａの形状が大きいので、前記芯部材貫通孔３４ａの内側に筆記用芯部材６の後端を容易に挿入することができる。前記芯部材貫通孔３４ａの内側に挿入された筆記用芯部材６の後端は芯部材貫通孔３４ａの内周面により前記各スライダガイド溝３５にガイドされる。
【００６３】
このため、筆記用芯部材６を各スライダガイド溝３５に、容易に挿入することができるので、筆記用芯部材６を前記各スライダ４の芯部材装着孔４１に容易に装着することができる。前記スライダ４の芯部材装着孔４１に後端部が装着された前記筆記用芯部材６は、後部外筒２の前端貫通口２２内側に配置されたスライダ支持ケース３を前後に移動可能に貫通する。後部外筒２の前端貫通口２２を前後に移動可能に貫通する前記筆記用芯部材６は、前記後部外筒２の前端貫通口２２が前部外筒７の後端貫通口７２（図１２Ｃ参照）に接続した状態では、前部外筒７の後端貫通口７２を前後に移動可能に貫通する。その状態では、複数の筆記用芯部材６の前側部分は前部外筒７内部に収容されており、その状態で前方に移動した筆記用芯部材６は前部外筒の前端開口７１から前方に突出して筆記可能な状態となる。
【００６４】
前記円筒状の後部外筒２の後部内側にはカートリッジ収容部２０が形成されており、カートリッジ収容部２０には、内側に突出する円弧状のカートリッジ係止部２４と、軸方向に延びるカートリッジガイド部２５が形成されている。したがって、カートリッジ着脱口２１から筒状カートリッジ１９を挿入したとき、カートリッジガイド部２５は、筒状カートリッジ１９の被ガイド部１９３（図１６Ａ参照）と係合して、筒状カートリッジ１９を軸方向（前後方向）にガイドするので、カートリッジ収容部２０内での筒状カートリッジ１９の回転位置を所定の回転位置に保持することができる。また、前記カートリッジ係止部２４は、筒状カートリッジ１９が挿入された時に凹部（被係止部）１９１ｂと係合して、筒状カートリッジ１９の軸方向の位置決めを行う。
また、前記複数のスライダ４の後端部およびスライダ支持ケース３の仕切部材３７の後端部（すなわち、スライダ支持ケース３の後端部）は、前記筒状カートリッジ１９の前端円筒部１９１の内部に挿入されているので、筆記具１の長さを短くすることができる。
【００６５】
図１９は前記実施例２の筆記具１の後部外筒２のカートリッジ収容部（メモリ収容孔）２０内部に筒状カートリッジ１９が装着された状態で、前記筒状カートリッジ１９内部にＵＳＢメモリ１１を挿入した状態と、挿入した前記ＵＳＢメモリ１１を回転させて抜け出し不能な装着位置に回転移動させた状態の説明図で、図１９Ａは筆記具の縦断面図、図１９Ｂ〜図１９Ｄ，図１９Ｅ１〜図１９Ｈ１は前記筒状カートリッジ１９内部にＵＳＢメモリ１１を挿入した状態での各部分の横断面図、図１９Ｅ２〜図１９Ｈ２は前記筒状カートリッジ１９内部にＵＳＢメモリ１１を挿入した前記図１９Ｅ１〜図１９Ｈ１状態でＵＳＢメモリ１１を回転させて筒状カートリッジ１９に抜け出し不能に装着した状態を示す図である。
図１９Ｆ１において、ＵＳＢメモリ１１の尾栓１１２の被係止凸部１１２ｄは筒状カートリッジ（メモリ装着筒）１９の凹部により形成された係止部１９２ｄに対向する位置に配置されている。図１９Ｈ１，図１９Ｇ１では被係止凸部１１２ｄは見えているが、係止部１９２ｄは見えていない。前記図１９Ｆ１〜図１９Ｇ１の状態でＵＳＢメモリ１１を回転させると、前記ＵＳＢメモリ１１の被係止凸部１１２ｄ（図１７参照）は前記筒状カートリッジ１９の係止部１９２ｄ（図１７参照）内に移動する。このとき、ＵＳＢメモリ１１は筒状カートリッジ（メモリ装着筒）１９内の装着位置に移動して装着される。
【実施例３】
【００６６】
図２０は本発明の筆記具の実施例３の要部説明図で、図２０Ａは筆記具の部品の組立状態の要部側断面図、図２０Ｂは要部平断面図である。
図２０に示す本実施例３の説明において前記実施例２と同一の構成については、同一の符号を付して、詳細な説明を省略する。
図２０に示す本発明の実施例３の筆記具は、後部外筒２の後部内側に形成されたカートリッジ収容部２０に収容される筒状カートリッジ１９の構成が前記実施例２（図１５参照）の筒状カートリッジ１９と次の点で相違しているがその他の点では同様である。
図２０において、本実施例３で使用している筒状カートリッジ（メモリ装着筒）１９は、前記実施例２のスリット１９１ａは設けられていない。また、前端円筒部１９１の先端部に断面円形のシールリング（シール部材）１９１ｄが装着されている。シールリング（シール部材）１９１ｄは、前記筒状カートリッジ１９が後部外筒２のカートリッジ収容部２０内に挿入されたときに、後部外筒２内側面に形成されたリング状係止部２３に係合する。
【００６７】
前記シールリング（シール部材）１９１ｄは、前記シールリング（シール部材）１９１ｄの後側（軸方向後側）のカートリッジ収容部（筒状部材収容部）２０と筒状部材１９外側面との間の隙間に対して、前記シールリング（シール部材）１９１ｄの前側のカートリッジ収容部（筒状部材収容部）２０の内側の空間を液密に遮断する。
このため、前記実施例３の筆記具では、筆記用芯部材６のインク漏れが発生しても、前記シールリング（シール部材）１９１ｄおよび前記分離壁１９１ｃにより、前記漏れたインクによるＵＳＢメモリの汚染を防止することができる。また、前記漏れたインクが後部外筒２の後端のカートリッジ着脱口２１から外部に漏出することを防止することができる。
【実施例４】
【００６８】
図２１は本発明の筆記具の実施例４の要部説明図で、図２１Ａは筆記具の部品の組立状態の要部側断面図、図２１Ｂは要部平断面図である。
図２１に示す本実施例４の説明において図２０に示す前記実施例３と同一の構成については、同一の符号を付して、詳細な説明を省略する。
図２１に示す実施例４の筆記具１は、前記図２０に示す実施例３の筆記具１のシールリング（シール部材）１９１ｄの代わりに、シールリング（シール部材）１９１ｅが設けられている。その他の点では実施例４は前記実施例３と同様に構成されている。
本発明の実施例４の筆記具１は、筒状カートリッジ（メモリ装着筒）１９の前端円筒部１９１の先端部に装着されたシールリング（シール部材）１９１ｅの断面形状が前記実施例３と相違している。この実施例４のシールリング（シール部材）１９１ｅは前記実施例３と同様に、前記筒状カートリッジ１９が後部外筒２のカートリッジ収容部２０内に挿入されたときに、後部外筒２内側面に形成されたリング状係止部２３に係合して、シールリング（シール部材）１９１ｄの前側と後側とを液密（または気密）に遮断する。
したがって、実施例４の筆記具も前記実施例３と同様に、筆記用芯部材６のインク漏れが発生しても、漏れたインクによるＵＳＢメモリの汚染を防止することができる。また、インクが漏出した場合、前記漏れたインクが後部外筒２の後端のカートリッジ着脱口２１から外部に漏出することを防止することができる。
【実施例５】
【００６９】
図２２は本発明の筆記具の実施例５の要部説明図で、図２２Ａは筆記具の部品の組立状態の要部側断面図、図２２Ｂは要部平断面図である。
図２２に示す本実施例５の説明において図２０に示す前記実施例３と同一の構成については、同一の符号を付して、詳細な説明を省略する。
図２２に示す実施例５の筆記具１は、前記図２０に示す実施例３の筆記具１のシールリング（シール部材）１９１ｄの代わりに、シールリング（シール部材）１９１ｆが設けられている。その他の点では実施例５は前記実施例３と同様に構成されている。
本発明の実施例５の筆記具１は、筒状カートリッジ（メモリ装着筒）１９の前端円筒部１９１の外周部に断面円形のシールリング（シール部材）１９１ｆが装着されている。この実施例５のシールリング（シール部材）１９１ｆは、前記筒状カートリッジ１９が後部外筒２のカートリッジ収容部２０内に挿入されたときに、後部外筒２の内周面の小径部分に圧接してシールリング（シール部材）１９１ｆの前側と後側とを液密（または気密）に遮断する。
したがって、実施例５の筆記具も前記実施例３と同様に、筆記用芯部材６のインク漏れが発生しても、漏れたインクによるＵＳＢメモリの汚染を防止することができる。また、インクが漏出した場合、前記漏れたインクが後部外筒２の後端のカートリッジ着脱口２１から外部に漏出することを防止することができる。
【実施例６】
【００７０】
図２３は本発明の筆記具の実施例６の要部説明図で、図２３Ａは筆記具の部品の組立状態の要部側断面図、図２３Ｂは要部平断面図である。
図２４は本発明の筆記具の実施例６の要部説明図で、図２４Ａは透明なキャップを装着した筒状カートリッジの側面図、図２４Ｂは筒状カートリッジの液状糊塗布具本体の平面図、図２４Ｃはキャップの平面図、図２４Ｄは筒状カートリッジの液状糊塗布具本体の部分断面側面図、図２４Ｅは前記図２４Ｄの矢印ＸＸIＶＥ−ＸＸIＶＥ線から見た図、図２４Ｆは前記図２４Ｄの矢印ＸＸIＶＦ−ＸＸIＶＦ線から見た図、図２４Ｇは筒状カートリッジの液状糊塗布具本体の部分断面平面図である。
本実施例６の説明において前記実施例１と同一の構成については、同一の符号を付して、詳細な説明を省略する。前記図１〜図１３に示す後部外筒２、スライダシジケース３、スライダ４、リターンバネ５、筆記用芯部材６、前部外筒７等の構成は、実施例１〜実施例６で共通である。
本発明の実施例６の筆記具は、後部外筒２の後部内側に形成されたカートリッジ収容部２０に収容される筒状カートリッジ１００の構成が前記実施例１の修正テープカートリッジ９と異なっている。
【００７１】
図２３、図２４において、本実施例６で使用している筒状カートリッジ（液状糊を収容する筒状容器を有する液状糊塗布具）１００は、液状糊塗布具本体（筒状部材、すなわち、円筒状外側面を有する筒状部材）１０１とキャップ１１０（図２４参照）とを有している。本実施例６で使用している筒状カートリッジ１００の液状糊塗布具本体１０１は、弾性を有する前端円筒部（前端筒状部）１０２とその後側の筒状の糊収容筒１０３と、前記糊収容筒１０３の後端に設けた塗布用頭部１０４とを有している。
前記前端円筒部１０２には、前記実施例２の３本のスリット１９１ａは設けられていないが、設けることも可能である。前記前端円筒部１０２の外周面にはリング状の凹部（被係止部）１０２ａが形成されている。また、前端円筒部１０２の内側後端には分離壁１０２ｂが一体成形されている。前記リング状の凹部１０２ａは、前記筒状カートリッジ１００の液状糊塗布具本体１０１が前記後部外筒２内部に挿入された状態では、前記後部外筒２のカートリッジ係止部２４（図３Ｃ参照）が前記リング状の凹部（被係止部）１０２ａと係合することにより、筒状カートリッジ１００の液状糊塗布具本体１０１の（前後方向）の位置決めが行われる。
【００７２】
前記筒状の糊収容筒１０３の内側には液状糊が収容されている。前記筒状の糊収容筒１０３の内側の液状糊は、前記塗布用頭部１０４の柔軟な多孔性材料により形成された塗布体１０４ａを紙の表面等の接着面に押圧することにより、前記接着面に塗布することができる。
前記糊収容筒１０３の後端部には前記後部外筒２の後端のカートリッジ着脱口２１（図２、図３参照）の後端に当接する当接部１０３ａが形成されている。前記当接部１０３ａの外周面には、液状糊塗布具本体１０１を外筒２内部から取り出す際に指を引っかけるための２個の把持部（操作用凸部）１０３ｂが設けられている。前記液状糊塗布具本体１０１には前記把持部１０３ｂの後側に尾栓着脱部１０１ａが設けられている。
また、前記糊収容筒１０３および前端円筒部１０２の外側面には前後に延びる被ガイド部１０５，１０５（図２４Ｂ参照）が形成されている。前記被ガイド部１０５，１０５は、筒状カートリッジ１００の液状糊塗布具本体１０１を前記後部外筒２のカートリッジ着脱口２１（図２、図３参照）から挿入した際に後部外筒２の内側面に形成されたカートリッジガイド部２５（図３Ｃ、図４Ａ参照）に係合してガイドされる部分である。前記被ガイド部１０５，１０５がカートリッジガイド部２５に係合することにより、後部外筒２に対する筒状カートリッジ１００の液状糊塗布具本体１０１の軸回りの回転位置の位置決めが行われる。
前記筒状カートリッジ１００が前記後部外筒２内部に挿入された状態では、前記後部外筒２のカートリッジ係止部２４（図３Ｃ参照）が前記リング状の凹部（被係止部）１０２ａと係合することにより、筒状カートリッジ１００の軸方向（前後方向）の位置決めが行われる。
【００７３】
前記図２３Ａ、図２３Ｂから分かるように、筒状カートリッジ１００の前端円筒部１０２の内部に、前記複数のスライダ４の後端部およびスライダ支持ケース３の仕切部材３７の後端部（すなわち、スライダ支持ケース３の後端部）が挿入されている。このため、筆記具の長さが長くなり過ぎないようにすることができる。
【実施例７】
【００７４】
図２５は本発明の筆記具の実施例７の要部説明図で、図２５ａは透明なキャップを装着した筒状カートリッジの側面図、図２５Ｂは筒状カートリッジの液状糊塗布具本体の平面図、図２５Ｃはキャップの平面図、図２５Ｄは筒状カートリッジの液状糊塗布具本体の部分断面側面図、図２５Ｅは前記図２５Ｄの矢印ＸＸＶＥ−ＸＸＶＥ線から見た図、図２５Ｆは前記図２５Ｄの矢印ＸＸＶＦ−ＸＸＶＦ線から見た図、図２５Ｇは筒状カートリッジの液状糊塗布具本体の部分断面平面図である。
本実施例７の説明において前記実施例６と同一の構成については、同一の符号を付して、詳細な説明を省略する。
本発明の実施例７の筆記具は、後部外筒２の後部内側に形成されたカートリッジ収容部２０に収容される筒状カートリッジ１００の構成が前記実施例６の筒状カートリッジ１００と次の点で相違しているがその他の点では同様である。
【００７５】
実施例７の前記筒状カートリッジ１００は、前記実施例６の筒状カートリッジ１００の液状糊塗布具本体１０１と一体成形された分離壁１０２ｂが省略されており、その代わりに糊収容筒１０３の内側面に、圧入分離壁１０３ｃが圧入により固定されている。
前記実施例６およびこの実施例７の説明から分かるように、分離壁は筒状カートリッジ１００と一体成形したり、別体成形したものを筒状カートリッジ１００内周面に固定したりして構成することが可能である。
【実施例８】
【００７６】
図２６は本発明の筆記具の実施例８の要部説明図で、図２６Ａはキャップを装着した筒状カートリッジの側面図、図２６Ｂは筒状カートリッジのマーカ本体の平面図、図２６Ｃはキャップの平面図、図２６Ｄは筒状カートリッジのマーカ本体の部分断面側面図、図２６Ｅは前記図２６Ｄの矢印ＸＸＶIＥから見た図、図２６Ｆは前記図２６Ｄの矢印ＸＸＶIＦから見た図、図２６Ｇは筒状カートリッジのマーカ本体の部分断面平面図である。
本実施例８の説明において前記実施例６と同一の構成については、同一の符号を付して、詳細な説明を省略する。前記図１〜図１３に示す後部外筒２、スライダシジケース３、スライダ４、リターンバネ５、筆記用芯部材６、前部外筒７等の構成は、実施例１〜実施例８で共通である。
【００７７】
図２６に示す本発明の実施例８の筆記具は、後部外筒２の後部内側に形成されたカートリッジ収容部２０に収容される筒状カートリッジ１００′は、前記実施例６の液状糊塗布具本体（筒状部材）１０１の代わりに、マーカ本体（筒状部材）１０１′を有している。そして、マーカ本体１０１′は、前記液状糊塗布具１０１の糊収容筒１０３および塗布用頭部１０４の代わりに、インク収容筒１０３′およびマーキング用のペン１０４′を有している。本実施例７のその他の構成は前記実施例６と同一である。
図２６において、前記筒状のインク収容筒１０３′の内側にはインクが収容されており、ペン１０４′を紙面に押しつけて移動させることにより、前記インク収容筒１０３′の内側に収容されたインクで紙面に画像や文字を描くことができる。
【実施例９】
【００７８】
図２７は本発明の筆記具の実施例９の要部説明図で、図２７Ａは水準器の液体容器断面図、図２７Ｂは前記図２７Ａの水準器を着脱可能に収容する筒状カートリッジの平断面図、図２７Ｃは前記図２７Ａの水準器の平面図、図２７Ｄは前記図２７Ｂの筒状カートリッジの平面図、図２７Ｅは水準器を収容した状態の透明な筒状カートリッジの上面図、図２７Ｆは水準器を収容した筒状カートリッジの側面図で前記図２７Ｅの矢印ＸＸＶIIＦから見た図、図２７Ｇは前記図２７Ｆの矢印ＸＸＶIIＧから見た図、図２７Ｈは前記図２７Ｆの矢印ＸＸＶIIＨから見た図、図２７Ｉは水準器を収容した筒状カートリッジの下面図で前記図２７ＦのＸＸＶIIＩから見た図である。
本実施例９の説明において前記実施例１と同一の構成については、同一の符号を付して、詳細な説明を省略する。前記図１〜図１３に示す後部外筒２、スライダシジケース３、スライダ４、リターンバネ５、筆記用芯部材６、前部外筒７等の構成は、実施例１〜実施例９で共通である。
本発明の実施例９の筆記具は、後部外筒２の後部内側に形成されたカートリッジ収容部２０に収容される筒状カートリッジ２００の構成が前記実施例１の修正テープカートリッジ９と異なっている。
【００７９】
図２７において、本実施例９で使用している筒状カートリッジ（水準器を着脱可能に装着したもの）２００は、カートリッジ本体すなわち円筒状外側面を有する筒状部材である容器本体２０１と、前記カートリッジ本体（容器本体）２０１に着脱可能に収容される水準器２１０とを有している。本実施例９で使用している筒状カートリッジ２００のカートリッジ本体２０１は、弾性を有する前端円筒部(前端筒状部)２０２とその後側の筒状の水準器収容筒２０３と、前記水準器収容筒２０３の後端に設けた後端壁２０４（図２７Ｂ参照）とを有している。
前記前端円筒部２０２には、前記実施例１の３本のスリット９１ｂ（図１４Ｄ参照）または前記実施例２の３本のスリット１９１ａ（図１６Ｄ参照）等に相当するスリットは設けられていない。前記前端円筒部２０２の外周面にはリング状の凹部（被係止部）２０２ａが形成されている。また、前端円筒部２０２の前端には水準器挿入用の開口が形成されている。前記リング状の凹部２０２ａは、前記筒状カートリッジ２００の容器本体２０１が前記後部外筒２内部に挿入された状態では、前記後部外筒２のカートリッジ係止部２４（図３Ｃ参照）が前記リング状の凹部（被係止部）２０２ａと係合することにより、筒状カートリッジ２００の容器本体２０１の（前後方向）の位置決めが行われる。
【００８０】
前記筒状の容器本体２０１の内側には、容器本体２０１の前端の開口から挿入された水準器２１０が着脱可能に収容されている。前記容器本体２０１の後端部には前記後部外筒２の後端のカートリッジ着脱口２１（図２、図３参照）の後端に当接する当接部２０３ａが形成されている。前記当接部２０３ａの外周面には、容器本体２０１を外筒２内部から取り出す際に指を引っかけるための２個の把持部（操作用凸部）２０３ｂが設けられている。
また、前記水準器収容部２０３および前端円筒部２０２の外側面には前後に延びる被ガイド部２０５，２０５（図２２Ｂ参照）が形成されている。前記被ガイド部２０５，２０５は、筒状カートリッジ２００の容器本体２０１を前記後部外筒２のカートリッジ着脱口２１（図２、図３参照）から挿入した際に後部外筒２の内側面に形成されたカートリッジガイド部２５（図３Ｃ、図４Ａ参照）に係合してガイドされる部分である。前記被ガイド部２０５，２０５がカートリッジガイド部２５に係合することにより、後部外筒２に対する筒状カートリッジ２００の容器本体２０１の軸回りの回転位置の位置決めが行われる。
【００８１】
前記筒状カートリッジ２００が前記後部外筒２内部に挿入された状態では、前記後部外筒２のカートリッジ係止部２４（図３Ｃ参照）が前記リング状の凹部（被係止部）２０２ａと係合することにより、筒状カートリッジ２００の軸方向（前後方向）の位置決めが行われる。
前記容器本体２０１の下面には平坦面２０１ａが形成されており、また、前記容器本体２０１には前端が開口する断面円形の水準器収容孔２０１ｂが形成されている。
前記水準器２１０は前記水準器収容孔２０１ｂに嵌合する外径を有する円筒容器内部に薄い緑色の液体および気泡２１０ａを収容した部材であり、前記水準器収容孔２０１ｂ内に着脱可能である。
前記水準器２１０を前記水準器収容孔２０１ｂに装着した状態で、前記容器本体２０１の平坦面２０１ａを平面上に載置したときの水準器２１０の気泡２１０ａの位置により、前記平面が水平か否かを確認することができる。
【産業上の利用可能性】
【００８２】
（変更例）
以上、本発明の実施の形態を詳述したが、本発明は、前記実施の形態に限定されるものではなく、特許請求の範囲に記載された本発明の要旨の範囲内で、種々の変更を行うことが可能である。本発明の変更実施の形態を下記に例示する。
（１）前記スライダ支持ケース３の複数のスライダガイド溝３５の前端に設けたガイド溝前端壁３４に形成される芯部材貫通孔３４ａは、複数の筆記用芯部材６が全て貫通する１個の貫通孔により形成する代わりに、複数の筆記用芯部材６がそれぞれ個別に貫通する複数の貫通孔により形成することが可能である。
（２）筒状部材の内部には、修正テープ、ＵＳＢメモリ、糊、マーカ、水準器以外にも、印鑑、消しゴム、等の種々の機能を有する部品を収容可能である。
（３）前記後部外筒２の内側面後端部にメスネジを形成し、前記メスネジに螺合可能なオスネジを後部外筒２の後端部に形成し、前記メスネジとオスネジとを螺合させることにより、筒状部材１９，９１，１０１，１０１′，２０１を後部外筒２に着脱可能に装着することが可能である。
【図面の簡単な説明】
【００８３】
【図１】図１は本発明の複合筆記具の実施例１の全体説明図で、図１Ａは全部品の組立状態の側断面図、図１Ｂは同平断面図である。
【図２】図２は前記図１の複合筆記具の分解図である。
【図３】図３は前記図１、図２に示す後部外筒２の説明図で、図３Ａは上面図、図３Ｂは前記図３Ａの側面図で前記図３Ａの矢印IIIＢから見た図、図３Ｃは前記図３ＡのIIIＣ−IIIＣ線断面図である。
【図４】図４は前記図３に示す後部外筒２の説明図で、図４Ａは前記図３ＣのIＶＡ−IＶＡ線端面図、図４Ｂは前記図３ＣのIＶＢ−IＶＢ線端面図、図４Ｃは前記図３ＣのIＶＣ−IＶＣ線端面図、図４Ｄは前記図３ＣのIＶＤ−IＶＤ線端面図、図４Ｅは前記図３ＣのIＶＥ−IＶＥ線端面図、図４Ｆは前記図３ＣのIＶＦ−IＶＦ線から見た後部外筒内側面のカムの展開図、図４Ｇは前記図４Ｆの矢印IＶＧで示した部分の拡大図である。なお、図４において、クリップの図示は省略している。
【図５】図５は前記図３、図４に示す後部外筒に回転可能且つ軸方向（前後方向）に移動不能に支持されるスライダ支持ケースの説明図で、図５Ａは上面図、図５Ｂは前記図５Ａの矢印ＶＢから見た図、図５Ｃは前記図５ＡのＶＣ−ＶＣ線断面図である。
【図６】図６は前記図５に示すスライダ支持ケースの説明図で、図６Ａは前記図５ＣのＶIＡ−ＶIＡ線端面図、図６Ｂは前記図５ＣのＶIＢ−ＶIＢ線端面図、図６Ｃは前記図５ＣのＶＣＡ−ＶIＣ線端面図、図６Ｄは前記図５ＣのＶIＤ−ＶIＤ線端面図、図６Ｅは前記図５ＣのＶIＥ−ＶIＥ線端面図、図６Ｆは前記図５ＣのＶIＦ−ＶIＦ線端面図、図６Ｇは前記図５ＣのＶIＧ−ＶIＧ線断面図である。
【図７】図７はスライダ支持ケースと、前記スライダ支持ケースにより前後にスライド可能に支持されるスライダと、前記スライダを常時後方（図７で右方）に移動させる力を作用させるリターンバネと、前記スライダに着脱可能に装着される筆記用芯部材との説明図で、図７Ａは各部品を組み立てた状態の側面図、図７Ｂは前記図７Ａの分解図である。
【図８】図８は前記図７の平面図で、図８Ａは各部品を組み立てた状態の平面図、図８Ｂは前記図８Ａの分解図である。
【図９】図９はスライダ支持ケースと、前記スライダ支持ケースのスライダガイド溝に前後に移動可能（スライド可能）に支持されるスライダと、前記スライダを常時後方に移動させる力を作用させるリターンバネと、前記スライダに着脱可能に装着される筆記用芯部材６の説明図で、図９Ａは各部品を組み立てた状態を示す図、図９Ｂは前記図９Ａの分解図である。
【図１０】図１０は前記スライダの拡大説明図で、図１０Ａは上面図、図１０Ｂは側面図で前記図１０Ａの矢印ＸＢから見た図、図１０Ｃは前記図１０ＡのＸＣ−ＸＣ線断面図である。
【図１１】図１１は前記スライダの拡大説明図で、図１１Ａは前記図１０Ｃの矢印ＸIＡ−ＸIＡから見た図、図１１Ｂは前記図１０ＣのＸIＢ−ＸIＢ線端面図、図１１Ｃは前記図１０ＣのＸIＣ−ＸIＣ線断面図、図１１Ｄは前記図１０Ｃの矢印ＸIＤ−ＸIＤから見た図である。
【図１２】図１２は前部外筒およびその表面に装着されるグリップ用ラバーの説明図で、図１２Ａは上面図、図１２Ｂは側面図で前部外筒図１２Ａの矢印ＸIIＢから見た図、図１２Ｃは側断面図で前記図１２ＡのＸIIＣ−ＸIIＣ線断面図である。
【図１３】図１３は前部外筒の説明図で、図１３Ａは前記図１２ＣのＸIIIＡ−ＸIIIＡ線断面図、図１３Ｂは前記図１２Ｃの矢印ＸIIIＢから見た図、図１３Ｃは前記図１２Ｃの矢印ＸIIＣで示す部分の詳細図である。
【図１４】図１４はカートリッジとカートリッジ後端に着脱可能なキャップとを説明する図で、図１４は上面図、図１４Ｂは側面図で前記図１４Ａの矢印ＸIＶＢから見た図、図１４Ｃは前記図１４Ｂとは反対側の側面図で前記図１４Ａの矢印ＸIＶＣから見た図、図１４Ｄは前記図１４ＡのＸIＶＤ−ＸIＶＤ線端面図である。
【図１５】図１５は本発明の筆記具の実施例２の要部説明図で、図１５Ａは部品の組立状態の要部側断面図、図１５Ｂは要部平断面図である。
【図１６】図１６は筒状カートリッジと筒状カートリッジ後端に着脱可能なＵＳＢメモリとを説明する図で、図１６Ａは筒状カートリッジと前記筒状カートリッジに着脱可能に装着されたＵＳＢメモリの側断面図、図１６Ｂは前記図１６ＡのＸＶIＢ−ＸＶIＢ線断面図、図１６Ｃは前記図１６ＡのＸＶIＣ−ＸＶIＣ線断面図、図１６Ｄは前記図１６ＡのＸＶIＤ−ＸＶIＤ線端面図、図１６Ｅは前記図１６ＡのＸＶIＥ−ＸＶIＥ線端面図である。
【図１７】図１７は前記図１６に示す筒状カートリッジと前記筒状カートリッジに着脱可能に装着されたＵＳＢメモリの斜視図である。
【図１８】図１８は前記筒状カートリッジと筒状カートリッジ後端に着脱可能なＵＳＢメモリの分解説明図で、図１８Ａは分解斜視図、図１８Ｂは前記図１８ＡのＸＶIIIＢ−ＸＶIIIＢ線断面図である。
【図１９】図１９は前記実施例１の筆記具１の後部外筒２のカートリッジ収容部（メモリ収容孔）２０内部に筒状カートリッジ１９が装着された状態で、前記筒状カートリッジ１９内部にＵＳＢメモリ１１を挿入した状態と、挿入した前記ＵＳＢメモリ１１を回転させて抜け出し不能な装着位置に回転移動させた状態の説明図で、図１９Ａは筆記具の縦断面図、図１９Ｂ〜図１９Ｄ，図１９Ｅ１〜図１９Ｈ１は前記筒状カートリッジ１９内部にＵＳＢメモリ１１を挿入した状態での各部分の横断面図、図１９Ｅ２〜図１９Ｈ２は前記筒状カートリッジ１９内部にＵＳＢメモリ１１を挿入した前記図１９Ｅ１〜図１９Ｈ１状態でＵＳＢメモリ１１を回転させて筒状カートリッジ１９に抜け出し不能に装着した状態を示す図である。
【図２０】図２０は本発明の筆記具の実施例３の要部説明図で、図２０Ａは筆記具の部品の組立状態の要部側断面図、図２０Ｂは要部平断面図である。
【図２１】図２１は本発明の筆記具の実施例４の要部説明図で、図２１Ａは筆記具の部品の組立状態の要部側断面図、図２１Ｂは要部平断面図である。
【図２２】図２２は本発明の筆記具の実施例５の要部説明図で、図２２Ａは筆記具の部品の組立状態の要部側断面図、図２２Ｂは要部平断面図である。
【図２３】図２３は本発明の筆記具の実施例６の要部説明図で、図２３Ａは筆記具の部品の組立状態の要部側断面図、図２３Ｂは要部平断面図である。
【図２４】図２４は本発明の筆記具の実施例６の要部説明図で、図２４Ａは透明なキャップを装着した筒状カートリッジの側面図、図２４Ｂは筒状カートリッジの液状糊塗布具本体の平面図、図２４Ｃはキャップの平面図、図２４Ｄは筒状カートリッジの液状糊塗布具本体の部分断面側面図、図２４Ｅは前記図２４Ｄの矢印ＸＸIＶＥ−ＸＸIＶＥ線から見た図、図２４Ｆは前記図２４Ｄの矢印ＸＸIＶＦ−ＸＸIＶＦ線から見た図、図２４Ｇは筒状カートリッジの液状糊塗布具本体の部分断面平面図である。
【図２５】図２５は本発明の筆記具の実施例７の要部説明図で、図２５ａは透明なキャップを装着した筒状カートリッジの側面図、図２５Ｂは筒状カートリッジの液状糊塗布具本体の平面図、図２５Ｃはキャップの平面図、図２５Ｄは筒状カートリッジの液状糊塗布具本体の部分断面側面図、図２５Ｅは前記図２５Ｄの矢印ＸＸＶＥ−ＸＸＶＥ線から見た図、図２５Ｆは前記図２５Ｄの矢印ＸＸＶＦ−ＸＸＶＦ線から見た図、図２５Ｇは筒状カートリッジの液状糊塗布具本体の部分断面平面図である。
【図２６】図２６は本発明の筆記具の実施例８の要部説明図で、図２６Ａはキャップを装着した筒状カートリッジの側面図、図２６Ｂは筒状カートリッジのマーカ本体の平面図、図２６Ｃはキャップの平面図、図２６Ｄは筒状カートリッジのマーカ本体の部分断面側面図、図２６Ｅは前記図２６Ｄの矢印ＸＸＶIＥ−ＸＸＶIＥ線から見た図、図２６Ｆは前記図２６Ｄの矢印ＸＸＶIＦ−ＸＸＶIＦ線から見た図、図２６Ｇは筒状カートリッジのマーカ本体の部分断面平面図である。
【図２７】図２７は本発明の筆記具の実施例９の要部説明図で、図２７Ａは水準器の液体容器断面図、図２７Ｂは前記図２７Ａの水準器を着脱可能に収容する筒状カートリッジの平断面図、図２７Ｃは前記図２７Ａの水準器の平面図、図２７Ｄは前記図２７Ｂの筒状カートリッジの平面図、図２７Ｅは水準器を収容した状態の透明な筒状カートリッジの上面図、図２７Ｆは水準器を収容した筒状カートリッジの側面図で前記図２７Ｅの矢印ＸＸＶIIＦから見た図、図２７Ｇは前記図２７Ｆの矢印ＸＸＶIIＧから見た図、図２７Ｈは前記図２７Ｆの矢印ＸＸＶIIＨから見た図、図２７Ｉは水準器を収容した筒状カートリッジの下面図で前記図２７ＦのＸＸＶIIＩから見た図である。
【符号の説明】
【００８４】
２…後部外筒、
４…芯部材連動移動体、
６…筆記用芯部材、
７…前部外筒、
２０…筒状部材収容部、
２１…筒状部材着脱口、
２２…前端貫通口、
２４…筒状部材係止部、
２５…筒状部材ガイド部、
２６…カム、
７１…前端開口、
７２…後端貫通口、
１９，９１，１０１，１０１′，２０１…筒状部材、
９１ａ，１９１，１０２，２０２…前端筒状部、
９１ｃ，１９１ｂ，１０２ａ，２０２ａ…被係止部、
９１ｄ，１９３，１０５，２０５…被ガイド部、
９１ｆ，１０３ｂ，２０３ｂ…把持部、
１９１ｃ，１０２ｂ，１０３ｃ…分離壁、
１９１ｄ，１９１ｅ，１９１ｆ…シールリング（シール部材）、
（２＋７）…外筒、
【図１】
2005119272.tif 000003
【図２】
2005119272.tif 000004
【図３】
2005119272.tif 000005
【図４】
2005119272.tif 000006
【図５】
2005119272.tif 000007
【図６】
2005119272.tif 000008
【図７】
2005119272.tif 000009
【図８】
2005119272.tif 000010
【図９】
2005119272.tif 000011
【図１０】
2005119272.tif 000012
【図１１】
2005119272.tif 000013
【図１２】
2005119272.tif 000014
【図１３】
2005119272.tif 000015
【図１４】
2005119272.tif 000016
【図１５】
2005119272.tif 000017
【図１６】
2005119272.tif 000018
【図１７】
2005119272.tif 000019
【図１８】
2005119272.tif 000020
【図１９】
2005119272.tif 000021
【図２０】
2005119272.tif 000022
【図２１】
2005119272.tif 000023
【図２２】
2005119272.tif 000024
【図２３】
2005119272.tif 000025
【図２４】
2005119272.tif 000026
【図２５】
2005119272.tif 000027
【図２６】
2005119272.tif 000028
【図２７】
2005119272.tif 000029